(57)【要約】【課題】既存蒸気タービン発電は静翼を動翼と交互に具備して発電量を０に近付け、高価な電気料金にし、企業利益率や給料や雇用を０に近付けている。【解決手段】二重反転機関１２Ｇで超臨界圧力水蒸気５Ｈを既存ボイラーの１３０倍製造し、竪型全動翼蒸気水重力タービン１１Ｚ発電として、落差製造用の重力発電建物１２製作とし、柱管１２Ｂを比重大物質上昇装置２Ｆ兼用として、逆浸透水５２Ｄを最上部に上昇保存比重大物質加速機６Ｗで噴射し、超臨界圧力水蒸気５Ｈで逆浸透水５２Ｄを吸引噴射加速して真空中の重力加速度で加速して、既存蒸気タービンの３０倍のマッハ３０等の落差製造発電にし、同一燃料量１／１０容積発電量を、既存火力発電の３０倍速度×１７０倍質量＝５１００倍発電量等、改良発明膨大や運用利益率抜群世界一や給料世界一や雇用世界一等として、製造物全部運用の運用利益率抜群世界一永遠にする。【選択図】図２
2015021445.tif 000002
【特許請求の範囲】
【請求項１】
二重反転機関（１２Ｇ）＋竪型全動翼蒸気水重力タービン（１１Ｚ）発電超臨界圧力水蒸気管（５Ｈ）を重力発電建物（１２）に具備した各種エネルギ保存サイクル合体機関及び合体方法。
【請求項２】
二重反転機関（１２Ｇ）＋竪型全動翼蒸気水重力タービン（１１Ｚ）発電超臨界圧力水蒸気管（５Ｈ）を重力発電建物（１２）の逆浸透水管（５２Ｄ）兼柱管（１２Ｂ）に具備した各種エネルギ保存サイクル合体機関及び合体方法。
【請求項３】
二重反転機関（１２Ｇ）＋竪型全動翼蒸気水重力タービン（１１Ｚ）発電超臨界圧力水蒸気管（５Ｈ）を重力発電建物（１２）の柱に具備した各種エネルギ保存サイクル合体機関及び合体方法。
【請求項４】
二重反転機関（１２Ｇ）＋竪型全動翼蒸気水重力タービン（１１Ｚ）発電超臨界圧力水蒸気管（５Ｈ）を重力発電建物（１２）の中に具備した各種エネルギ保存サイクル合体機関及び合体方法。
【請求項５】
二重反転機関（１２Ｇ）＋竪型全動翼蒸気水重力タービン（１１Ｚ）発電超臨界圧力水蒸気管（５Ｈ）を重力発電建物（１２）の逆浸透水管（５２Ｄ）兼柱管（１２Ｂ）角フランジ（１２Ｄ）に固定した各種エネルギ保存サイクル合体機関及び合体方法。
【請求項６】
二重反転機関（１２Ｇ）＋竪型全動翼蒸気水重力タービン（１１Ｚ）発電超臨界圧力水蒸気管（５Ｈ）を重力発電建物（１２）の逆浸透水管（５２Ｄ）兼柱管（１２Ｂ）角フランジ（１２Ｄ）を角形として鉄骨骨組（１２Ａ）に固着した各種エネルギ保存サイクル合体機関及び合体方法。
【請求項７】
二重反転機関（１２Ｇ）＋竪型全動翼蒸気水重力タービン（１１Ｚ）発電超臨界圧力水蒸気管（５Ｈ）を重力発電建物（１２）の逆浸透水管（５２Ｄ）兼柱管（１２Ｂ）角フランジ（１２Ｄ）を角形として鉄骨骨組（１２Ａ）にボルト締めした各種エネルギ保存サイクル合体機関及び合体方法。
【請求項８】
二重反転機関（１２Ｇ）＋竪型全動翼蒸気水重力タービン（１１Ｚ）発電＋超臨界圧力水蒸気管（５Ｈ）の重力発電建物（１２）の逆浸透水管（５２Ｄ）兼柱管（１２Ｂ）角フランジ（１２Ｄ）を角形として鉄骨骨組（１２Ａ）上下で固着した各種エネルギ保存サイクル合体機関及び合体方法。
【請求項９】
二重反転機関（１２Ｇ）＋竪型全動翼蒸気水重力タービン（１１Ｚ）発電＋超臨界圧力水蒸気管（５Ｈ）の重力発電建物（１２）の逆浸透水管（５２Ｄ）兼柱管（１２Ｂ）角フランジ（１２Ｄ）を角形として鉄骨骨組（１２Ａ）上下でボルト締めした各種エネルギ保存サイクル合体機関及び合体方法。
【請求項１０】
二重反転機関（１２Ｇ）＋竪型全動翼蒸気水重力タービン（１１Ｚ）発電＋超臨界圧力水蒸気管（５Ｈ）の重力発電建物（１２）の逆浸透水管（５２Ｄ）兼柱管（１２Ｂ）角フランジ（１２Ｄ）を角形として鉄骨骨組（１２Ａ）上下のボルト締めで階数を増大する各種エネルギ保存サイクル合体機関及び合体方法。
【請求項１１】
二重反転機関（１２Ｇ）＋竪型全動翼蒸気水重力タービン（１１Ｚ）発電＋超臨界圧力水蒸気管（５Ｈ）の重力発電建物（１２）の逆浸透水管（５２Ｄ）兼柱管（１２Ｂ）角フランジ（１２Ｄ）を角形として鉄骨骨組（１２Ａ）上下のボルト締めで階数を１階以上とした各種エネルギ保存サイクル合体機関及び合体方法。
【請求項１２】
二重反転機関（１２Ｇ）＋竪型全動翼蒸気水重力タービン（１１Ｚ）発電＋超臨界圧力水蒸気管（５Ｈ）の重力発電建物（１２）の逆浸透水管（５２Ｄ）兼柱管（１２Ｂ）角フランジ（１２Ｄ）を角形として鉄骨骨組（１２Ａ）上下のボルト締めで階数を２０階以下とした各種エネルギ保存サイクル合体機関及び合体方法。
【請求項１３】
二重反転機関（１２Ｇ）＋竪型全動翼蒸気水重力タービン（１１Ｚ）発電＋超臨界圧力水蒸気管（５Ｈ）の重力発電建物（１２）の逆浸透水管（５２Ｄ）兼柱管（１２Ｂ）角フランジ（１２Ｄ）を角形として鉄骨骨組（１２Ａ）上下のボルト締めで階数を１５階以下とした各種エネルギ保存サイクル合体機関及び合体方法。
【請求項１４】
二重反転機関（１２Ｇ）＋竪型全動翼蒸気水重力タービン（１１Ｚ）発電＋超臨界圧力水蒸気管（５Ｈ）の重力発電建物（１２）の逆浸透水管（５２Ｄ）兼柱管（１２Ｂ）角フランジ（１２Ｄ）を角形として鉄骨骨組（１２Ａ）上下のボルト締めで階数を１０階以下とした各種エネルギ保存サイクル合体機関及び合体方法。
【請求項１５】
二重反転機関（１２Ｇ）＋竪型全動翼蒸気水重力タービン（１１Ｚ）発電＋超臨界圧力水蒸気管（５Ｈ）の重力発電建物（１２）の逆浸透水管（５２Ｄ）兼柱管（１２Ｂ）角フランジ（１２Ｄ）を角形として鉄骨骨組（１２Ａ）上下のボルト締めで階数を８階以下とした各種エネルギ保存サイクル合体機関及び合体方法。
【請求項１６】
二重反転機関（１２Ｇ）＋竪型全動翼蒸気水重力タービン（１１Ｚ）発電＋超臨界圧力水蒸気管（５Ｈ）の重力発電建物（１２）の逆浸透水管（５２Ｄ）兼柱管（１２Ｂ）角フランジ（１２Ｄ）を角形として鉄骨骨組（１２Ａ）上下のボルト締めで階数を６階以下とした各種エネルギ保存サイクル合体機関及び合体方法。
【請求項１７】
二重反転機関（１２Ｇ）＋竪型全動翼蒸気水重力タービン（１１Ｚ）発電超臨界圧力水蒸気管（５Ｈ）＋逆浸透水管（５２Ｄ）兼柱管（１２Ｂ）で超臨界圧力水蒸気（５Ｈ）逆浸透水（５２Ｄ）を最上部に上昇使用する各種エネルギ保存サイクル合体機関及び合体方法。
【請求項１８】
二重反転機関（１２Ｇ）＋竪型全動翼蒸気水重力タービン（１１Ｚ）発電超臨界圧力水蒸気管（５Ｈ）＋逆浸透水管（５２Ｄ）兼柱管（１２Ｂ）で超臨界圧力水蒸気（５Ｈ）逆浸透水（５２Ｄ）を最上部に上昇超臨界圧力水蒸気（５Ｈ）膨張速度＋逆浸透水（５２Ｄ）噴射速度＋真空度上昇中の重力加速度加速で噴射する各種エネルギ保存サイクル合体機関及び合体方法。
【請求項１９】
二重反転機関（１２Ｇ）＋竪型全動翼蒸気水重力タービン（１１Ｚ）発電超臨界圧力水蒸気管（５Ｈ）＋逆浸透水管（５２Ｄ）兼柱管（１２Ｂ）で超臨界圧力水蒸気（５Ｈ）逆浸透水（５２Ｄ）を最上部に上昇超臨界圧力水蒸気（５Ｈ）膨張速度＋逆浸透水（５２Ｄ）噴射速度＋真空度上昇中の重力加速度加速マッハ３以上で噴射する各種エネルギ保存サイクル合体機関及び合体方法。
【請求項２０】
二重反転機関（１２Ｇ）＋竪型全動翼蒸気水重力タービン（１１Ｚ）発電超臨界圧力水蒸気管（５Ｈ）＋逆浸透水管（５２Ｄ）兼柱管（１２Ｂ）で超臨界圧力水蒸気（５Ｈ）逆浸透水（５２Ｄ）を最上部に上昇超臨界圧力水蒸気（５Ｈ）膨張速度＋逆浸透水（５２Ｄ）噴射速度＋真空度上昇中の重力加速度加速マッハ３０以下で加速する各種エネルギ保存サイクル合体機関及び合体方法。
【請求項２１】
二重反転機関（１２Ｇ）＋竪型全動翼蒸気水重力タービン（１１Ｚ）発電超臨界圧力水蒸気管（５Ｈ）＋逆浸透水管（５２Ｄ）兼柱管（１２Ｂ）で超臨界圧力水蒸気（５Ｈ）逆浸透水（５２Ｄ）を最上部に上昇超臨界圧力水蒸気（５Ｈ）膨張速度＋逆浸透水（５２Ｄ）噴射速度＋真空度上昇中の重力加速度加速マッハ１以上で噴射する各種エネルギ保存サイクル合体機関及び合体方法。
【請求項２２】
二重反転機関（１２Ｇ）＋竪型全動翼蒸気水重力タービン（１１Ｚ）発電超臨界圧力水蒸気管（５Ｈ）＋逆浸透水管（５２Ｄ）兼柱管（１２Ｂ）で超臨界圧力水蒸気（５Ｈ）逆浸透水（５２Ｄ）を最上部に上昇超臨界圧力水蒸気（５Ｈ）膨張速度＋逆浸透水（５２Ｄ）噴射速度＋真空度上昇中の重力加速度加速マッハ１０以下で加速する各種エネルギ保存サイクル合体機関及び合体方法。
【請求項２３】
二重反転機関（１２Ｇ）＋竪型全動翼蒸気水重力タービン（１１Ｚ）発電超臨界圧力水蒸気管（５Ｈ）＋逆浸透水管（５２Ｄ）兼柱管（１２Ｂ）で超臨界圧力水蒸気（５Ｈ）逆浸透水（５２Ｄ）を最上部に上昇超臨界圧力水蒸気（５Ｈ）膨張速度＋逆浸透水（５２Ｄ）噴射速度＋真空度上昇中の重力加速度加速で噴射真空中重力加速度加速する各種エネルギ保存サイクル合体機関及び合体方法。
【請求項２４】
二重反転機関（１２Ｇ）＋竪型全動翼蒸気水重力タービン（１１Ｚ）発電超臨界圧力水蒸気管（５Ｈ）＋逆浸透水管（５２Ｄ）兼柱管（１２Ｂ）で超臨界圧力水蒸気（５Ｈ）逆浸透水（５２Ｄ）を最上部に上昇超臨界圧力水蒸気（５Ｈ）膨張速度＋逆浸透水（５２Ｄ）噴射速度＋真空度上昇中の重力加速度加速マッハ３以上で噴射真空中重力加速度加速する各種エネルギ保存サイクル合体機関及び合体方法。
【請求項２５】
二重反転機関（１２Ｇ）＋竪型全動翼蒸気水重力タービン（１１Ｚ）発電超臨界圧力水蒸気管（５Ｈ）＋逆浸透水管（５２Ｄ）兼柱管（１２Ｂ）で超臨界圧力水蒸気（５Ｈ）逆浸透水（５２Ｄ）を最上部に上昇超臨界圧力水蒸気（５Ｈ）膨張速度＋逆浸透水（５２Ｄ）噴射速度＋真空度上昇中の重力加速度加速マッハ３０以下で加速真空中重力加速度加速する各種エネルギ保存サイクル合体機関及び合体方法。
【請求項２６】
二重反転機関（１２Ｇ）＋竪型全動翼蒸気水重力タービン（１１Ｚ）発電超臨界圧力水蒸気管（５Ｈ）＋逆浸透水管（５２Ｄ）兼柱管（１２Ｂ）で超臨界圧力水蒸気（５Ｈ）逆浸透水（５２Ｄ）を最上部に上昇超臨界圧力水蒸気（５Ｈ）膨張速度＋逆浸透水（５２Ｄ）噴射速度＋真空度上昇中の重力加速度加速マッハ１以上で噴射真空中重力加速度加速する各種エネルギ保存サイクル合体機関及び合体方法。
【請求項２７】
二重反転機関（１２Ｇ）＋竪型全動翼蒸気水重力タービン（１１Ｚ）発電超臨界圧力水蒸気管（５Ｈ）＋逆浸透水管（５２Ｄ）兼柱管（１２Ｂ）で超臨界圧力水蒸気（５Ｈ）逆浸透水（５２Ｄ）を最上部に上昇超臨界圧力水蒸気（５Ｈ）膨張速度＋逆浸透水（５２Ｄ）噴射速度＋真空度上昇中の重力加速度加速マッハ１０以下で加速真空中重力加速度加速する各種エネルギ保存サイクル合体機関及び合体方法。
【請求項２８】
二重反転機関（１２Ｇ）＋竪型全動翼蒸気水重力タービン（１１Ｚ）発電超臨界圧力水蒸気管（５Ｈ）＋逆浸透水管（５２Ｄ）兼柱管（１２Ｂ）で超臨界圧力水蒸気（５Ｈ）逆浸透水（５２Ｄ）を最上部に上昇超臨界圧力水蒸気（５Ｈ）膨張速度＋逆浸透水（５２Ｄ）噴射速度＋真空度上昇中の重力加速度加速で噴射真空中重力加速度加速円筒外側動翼群（６０Ｄ）円筒内側動翼群（６０Ｃ）に噴射する各種エネルギ保存サイクル合体機関及び合体方法。
【請求項２９】
二重反転機関（１２Ｇ）＋竪型全動翼蒸気水重力タービン（１１Ｚ）発電超臨界圧力水蒸気管（５Ｈ）＋逆浸透水管（５２Ｄ）兼柱管（１２Ｂ）で超臨界圧力水蒸気（５Ｈ）逆浸透水（５２Ｄ）を最上部に上昇超臨界圧力水蒸気（５Ｈ）膨張速度＋逆浸透水（５２Ｄ）噴射速度＋真空度上昇中の重力加速度加速マッハ３以上で噴射真空中重力加速度加速円筒外側動翼群（６０Ｄ）円筒内側動翼群（６０Ｃ）に噴射する各種エネルギ保存サイクル合体機関及び合体方法。
【請求項３０】
二重反転機関（１２Ｇ）＋竪型全動翼蒸気水重力タービン（１１Ｚ）発電超臨界圧力水蒸気管（５Ｈ）＋逆浸透水管（５２Ｄ）兼柱管（１２Ｂ）で超臨界圧力水蒸気（５Ｈ）逆浸透水（５２Ｄ）を最上部に上昇超臨界圧力水蒸気（５Ｈ）膨張速度＋逆浸透水（５２Ｄ）噴射速度＋真空度上昇中の重力加速度加速マッハ３０以下で加速真空中重力加速度加速円筒外側動翼群（６０Ｄ）円筒内側動翼群（６０Ｃ）に噴射する各種エネルギ保存サイクル合体機関及び合体方法。
【請求項３１】
二重反転機関（１２Ｇ）＋竪型全動翼蒸気水重力タービン（１１Ｚ）発電超臨界圧力水蒸気管（５Ｈ）＋逆浸透水管（５２Ｄ）兼柱管（１２Ｂ）で超臨界圧力水蒸気（５Ｈ）逆浸透水（５２Ｄ）を最上部に上昇超臨界圧力水蒸気（５Ｈ）膨張速度＋逆浸透水（５２Ｄ）噴射速度＋真空度上昇中の重力加速度加速マッハ１以上で噴射真空中重力加速度加速円筒外側動翼群（６０Ｄ）円筒内側動翼群（６０Ｃ）に噴射する各種エネルギ保存サイクル合体機関及び合体方法。
【請求項３２】
二重反転機関（１２Ｇ）＋竪型全動翼蒸気水重力タービン（１１Ｚ）発電超臨界圧力水蒸気管（５Ｈ）＋逆浸透水管（５２Ｄ）兼柱管（１２Ｂ）で超臨界圧力水蒸気（５Ｈ）逆浸透水（５２Ｄ）を最上部に上昇超臨界圧力水蒸気（５Ｈ）膨張速度＋逆浸透水（５２Ｄ）噴射速度＋真空度上昇中の重力加速度加速マッハ１０以下で加速真空中重力加速度加速円筒外側動翼群（６０Ｄ）円筒内側動翼群（６０Ｃ）に噴射する各種エネルギ保存サイクル合体機関及び合体方法。
【請求項３３】
二重反転機関（１２Ｇ）＋竪型全動翼蒸気水重力タービン（１１Ｚ）発電超臨界圧力水蒸気管（５Ｈ）＋逆浸透水管（５２Ｄ）兼柱管（１２Ｂ）で超臨界圧力水蒸気（５Ｈ）逆浸透水（５２Ｄ）を最上部に上昇超臨界圧力水蒸気（５Ｈ）膨張速度＋逆浸透水（５２Ｄ）噴射速度＋真空度上昇中の重力加速度加速で噴射真空中重力加速度加速円筒外側動翼群（６０Ｄ）円筒内側動翼群（６０Ｃ）に噴射夫々を二重反転駆動する各種エネルギ保存サイクル合体機関及び合体方法。
【請求項３４】
二重反転機関（１２Ｇ）＋竪型全動翼蒸気水重力タービン（１１Ｚ）発電超臨界圧力水蒸気管（５Ｈ）＋逆浸透水管（５２Ｄ）兼柱管（１２Ｂ）で超臨界圧力水蒸気（５Ｈ）逆浸透水（５２Ｄ）を最上部に上昇超臨界圧力水蒸気（５Ｈ）膨張速度＋逆浸透水（５２Ｄ）噴射速度＋真空度上昇中の重力加速度加速マッハ３以上で噴射真空中重力加速度加速円筒外側動翼群（６０Ｄ）円筒内側動翼群（６０Ｃ）に噴射夫々を二重反転駆動する各種エネルギ保存サイクル合体機関及び合体方法。
【請求項３５】
二重反転機関（１２Ｇ）＋竪型全動翼蒸気水重力タービン（１１Ｚ）発電超臨界圧力水蒸気管（５Ｈ）＋逆浸透水管（５２Ｄ）兼柱管（１２Ｂ）で超臨界圧力水蒸気（５Ｈ）逆浸透水（５２Ｄ）を最上部に上昇超臨界圧力水蒸気（５Ｈ）膨張速度＋逆浸透水（５２Ｄ）噴射速度＋真空度上昇中の重力加速度加速マッハ３０以下で加速真空中重力加速度加速円筒外側動翼群（６０Ｄ）円筒内側動翼群（６０Ｃ）に噴射夫々を二重反転駆動する各種エネルギ保存サイクル合体機関及び合体方法。
【請求項３６】
二重反転機関（１２Ｇ）＋竪型全動翼蒸気水重力タービン（１１Ｚ）発電超臨界圧力水蒸気管（５Ｈ）＋逆浸透水管（５２Ｄ）兼柱管（１２Ｂ）で超臨界圧力水蒸気（５Ｈ）逆浸透水（５２Ｄ）を最上部に上昇超臨界圧力水蒸気（５Ｈ）膨張速度＋逆浸透水（５２Ｄ）噴射速度＋真空度上昇中の重力加速度加速マッハ１以上で噴射真空中重力加速度加速円筒外側動翼群（６０Ｄ）円筒内側動翼群（６０Ｃ）に噴射夫々を二重反転駆動する各種エネルギ保存サイクル合体機関及び合体方法。
【請求項３７】
二重反転機関（１２Ｇ）＋竪型全動翼蒸気水重力タービン（１１Ｚ）発電超臨界圧力水蒸気管（５Ｈ）＋逆浸透水管（５２Ｄ）兼柱管（１２Ｂ）で超臨界圧力水蒸気（５Ｈ）逆浸透水（５２Ｄ）を最上部に上昇超臨界圧力水蒸気（５Ｈ）膨張速度＋逆浸透水（５２Ｄ）噴射速度＋真空度上昇中の重力加速度加速マッハ１０以下で加速真空中重力加速度加速円筒外側動翼群（６０Ｄ）円筒内側動翼群（６０Ｃ）に噴射夫々を二重反転駆動する各種エネルギ保存サイクル合体機関及び合体方法。
【請求項３８】
二重反転機関（１２Ｇ）＋竪型全動翼蒸気水重力タービン（１１Ｚ）発電超臨界圧力水蒸気管（５Ｈ）＋逆浸透水管（５２Ｄ）兼柱管（１２Ｂ）で超臨界圧力水蒸気（５Ｈ）逆浸透水（５２Ｄ）を最上部に上昇超臨界圧力水蒸気（５Ｈ）膨張速度＋逆浸透水（５２Ｄ）噴射速度＋真空度上昇中の重力加速度加速で噴射真空中重力加速度加速円筒外側動翼群（６０Ｄ）円筒内側動翼群（６０Ｃ）に噴射夫々を二重反転駆動して発電する各種エネルギ保存サイクル合体機関及び合体方法。
【請求項３９】
二重反転機関（１２Ｇ）＋竪型全動翼蒸気水重力タービン（１１Ｚ）発電超臨界圧力水蒸気管（５Ｈ）＋逆浸透水管（５２Ｄ）兼柱管（１２Ｂ）で超臨界圧力水蒸気（５Ｈ）逆浸透水（５２Ｄ）を最上部に上昇超臨界圧力水蒸気（５Ｈ）膨張速度＋逆浸透水（５２Ｄ）噴射速度＋真空度上昇中の重力加速度加速マッハ３以上で噴射真空中重力加速度加速円筒外側動翼群（６０Ｄ）円筒内側動翼群（６０Ｃ）に噴射夫々を二重反転駆動して発電する各種エネルギ保存サイクル合体機関及び合体方法。
【請求項４０】
二重反転機関（１２Ｇ）＋竪型全動翼蒸気水重力タービン（１１Ｚ）発電超臨界圧力水蒸気管（５Ｈ）＋逆浸透水管（５２Ｄ）兼柱管（１２Ｂ）で超臨界圧力水蒸気（５Ｈ）逆浸透水（５２Ｄ）を最上部に上昇超臨界圧力水蒸気（５Ｈ）膨張速度＋逆浸透水（５２Ｄ）噴射速度＋真空度上昇中の重力加速度加速マッハ３０以下で加速真空中重力加速度加速円筒外側動翼群（６０Ｄ）円筒内側動翼群（６０Ｃ）に噴射夫々を二重反転駆動して発電する各種エネルギ保存サイクル合体機関及び合体方法。
【請求項４１】
二重反転機関（１２Ｇ）＋竪型全動翼蒸気水重力タービン（１１Ｚ）発電超臨界圧力水蒸気管（５Ｈ）＋逆浸透水管（５２Ｄ）兼柱管（１２Ｂ）で超臨界圧力水蒸気（５Ｈ）逆浸透水（５２Ｄ）を最上部に上昇超臨界圧力水蒸気（５Ｈ）膨張速度＋逆浸透水（５２Ｄ）噴射速度＋真空度上昇中の重力加速度加速マッハ１以上で噴射真空中重力加速度加速円筒外側動翼群（６０Ｄ）円筒内側動翼群（６０Ｃ）に噴射夫々を二重反転駆動して発電する各種エネルギ保存サイクル合体機関及び合体方法。
【請求項４２】
二重反転機関（１２Ｇ）＋竪型全動翼蒸気水重力タービン（１１Ｚ）発電超臨界圧力水蒸気管（５Ｈ）＋逆浸透水管（５２Ｄ）兼柱管（１２Ｂ）で超臨界圧力水蒸気（５Ｈ）逆浸透水（５２Ｄ）を最上部に上昇超臨界圧力水蒸気（５Ｈ）膨張速度＋逆浸透水（５２Ｄ）噴射速度＋真空度上昇中の重力加速度加速マッハ１０以下で加速真空中重力加速度加速円筒外側動翼群（６０Ｄ）円筒内側動翼群（６０Ｃ）に噴射夫々を二重反転駆動して発電する各種エネルギ保存サイクル合体機関及び合体方法。
【請求項４３】
二重反転機関（１２Ｇ）＋竪型全動翼蒸気水重力タービン（１１Ｚ）発電外側軸装置（６０Ｂ）兼円筒外側動翼群（６０Ｄ）や内側軸装置（６０Ａ）兼円筒内側動翼群（６０Ｃ）夫々の両端に軸受（１２Ｃ）具備出力翼（５３Ａ）具備した各種エネルギ保存サイクル合体機関及び合体方法。
【請求項４４】
二重反転機関（１２Ｇ）＋竪型全動翼蒸気水重力タービン（１１Ｚ）発電外側軸装置（６０Ｂ）兼円筒外側動翼群（６０Ｄ）や内側軸装置（６０Ａ）兼円筒内側動翼群（６０Ｃ）夫々の両端に軸受（１２Ｃ）具備出力翼（５３Ａ）具備夫々別々に仮組立工作機械で両端支持加工を可能にした各種エネルギ保存サイクル合体機関及び合体方法。
【請求項４５】
二重反転機関（１２Ｇ）＋竪型全動翼蒸気水重力タービン（１１Ｚ）発電外側軸装置（６０Ｂ）兼円筒外側動翼群（６０Ｄ）や内側軸装置（６０Ａ）兼円筒内側動翼群（６０Ｃ）夫々の両端に軸受（１２Ｃ）具備出力翼（５３Ａ）具備夫々別々に仮組立工作機械で両端支持加工超高速バランス調整加工する各種エネルギ保存サイクル合体機関及び合体方法。
【請求項４６】
二重反転機関（１２Ｇ）＋竪型全動翼蒸気水重力タービン（１１Ｚ）発電外側軸装置（６０Ｂ）兼円筒外側動翼群（６０Ｄ）や内側軸装置（６０Ａ）兼円筒内側動翼群（６０Ｃ）夫々の両端に軸受（１２Ｃ）具備出力翼（５３Ａ）具備夫々別々に仮組立工作機械で両端支持加工超高速バランス調整超精密加工にする各種エネルギ保存サイクル合体機関及び合体方法。
【請求項４７】
二重反転機関（１２Ｇ）＋竪型全動翼蒸気水重力タービン（１１Ｚ）発電外側軸装置（６０Ｂ）兼円筒外側動翼群（６０Ｄ）や内側軸装置（６０Ａ）兼円筒内側動翼群（６０Ｃ）夫々の両端に軸受（１２Ｃ）具備出力翼（５３Ａ）具備夫々別々に仮組立工作機械で両端支持加工超高速バランス調整超精密加工後に本組立にする各種エネルギ保存サイクル合体機関及び合体方法。
【請求項４８】
二重反転機関（１２Ｇ）＋竪型全動翼蒸気水重力タービン（１１Ｚ）発電の二重反転機関（１２Ｇ）逆浸透水（５２Ｄ）冷却とした外側軸装置（６０Ｂ）兼外側圧縮翼（５３Ｃ）や内側軸装置（６０Ａ）兼内側圧縮翼（５３Ｃ）夫々の両端に軸受（１２Ｃ）具備出力翼（５３Ａ）具備した各種エネルギ保存サイクル合体機関及び合体方法。
【請求項４９】
二重反転機関（１２Ｇ）＋竪型全動翼蒸気水重力タービン（１１Ｚ）発電の二重反転機関（１２Ｇ）逆浸透水（５２Ｄ）冷却とした外側軸装置（６０Ｂ）兼外側圧縮翼（５３Ｃ）や内側軸装置（６０Ａ）兼内側圧縮翼（５３Ｃ）夫々の両端に軸受（１２Ｃ）具備出力翼（５３Ａ）具備夫々別々に仮組立工作機械で両端支持加工を可能にした各種エネルギ保存サイクル合体機関及び合体方法。
【請求項５０】
二重反転機関（１２Ｇ）＋竪型全動翼蒸気水重力タービン（１１Ｚ）発電の二重反転機関（１２Ｇ）逆浸透水（５２Ｄ）冷却とした外側軸装置（６０Ｂ）兼外側圧縮翼（５３Ｃ）や内側軸装置（６０Ａ）兼内側圧縮翼（５３Ｃ）夫々の両端に軸受（１２Ｃ）具備出力翼（５３Ａ）具備夫々別々に仮組立工作機械で両端支持加工超高速バランス調整加工する各種エネルギ保存サイクル合体機関及び合体方法。
【請求項５１】
二重反転機関（１２Ｇ）＋竪型全動翼蒸気水重力タービン（１１Ｚ）発電の二重反転機関（１２Ｇ）逆浸透水（５２Ｄ）冷却とした外側軸装置（６０Ｂ）兼外側圧縮翼（５３Ｃ）や内側軸装置（６０Ａ）兼内側圧縮翼（５３Ｃ）夫々の両端に軸受（１２Ｃ）具備出力翼（５３Ａ）具備夫々別々に仮組立工作機械で両端支持加工超高速バランス調整超精密加工にする各種エネルギ保存サイクル合体機関及び合体方法。
【請求項５２】
二重反転機関（１２Ｇ）＋竪型全動翼蒸気水重力タービン（１１Ｚ）発電の二重反転機関（１２Ｇ）逆浸透水（５２Ｄ）冷却とした外側軸装置（６０Ｂ）兼外側圧縮翼（５３Ｃ）や内側軸装置（６０Ａ）兼内側圧縮翼（５３Ｃ）夫々の両端に軸受（１２Ｃ）具備出力翼（５３Ａ）具備夫々別々に仮組立工作機械で両端支持加工超高速バランス調整超精密加工後に本組立にする各種エネルギ保存サイクル合体機関及び合体方法。
【請求項５３】
二重反転機関（１２Ｇ）＋竪型全動翼蒸気水重力タービン（１１Ｚ）発電の二重反転機関（１２Ｇ）逆浸透水（５２Ｄ）冷却とした外側軸装置（６０Ｂ）兼外側出力翼（５３Ａ）や内側軸装置（６０Ａ）兼内側出力翼（５３Ａ）夫々の両端に軸受（１２Ｃ）具備出力翼（５３Ａ）具備した各種エネルギ保存サイクル合体機関及び合体方法。
【請求項５４】
二重反転機関（１２Ｇ）＋竪型全動翼蒸気水重力タービン（１１Ｚ）発電の二重反転機関（１２Ｇ）逆浸透水（５２Ｄ）冷却とした外側軸装置（６０Ｂ）兼外側出力翼（５３Ａ）や内側軸装置（６０Ａ）兼内側出力翼（５３Ａ）夫々の両端に軸受（１２Ｃ）具備出力翼（５３Ａ）具備夫々別々に仮組立工作機械で両端支持加工を可能にした各種エネルギ保存サイクル合体機関及び合体方法。
【請求項５５】
二重反転機関（１２Ｇ）＋竪型全動翼蒸気水重力タービン（１１Ｚ）発電の二重反転機関（１２Ｇ）逆浸透水（５２Ｄ）冷却とした外側軸装置（６０Ｂ）兼外側出力翼（５３Ａ）や内側軸装置（６０Ａ）兼内側出力翼（５３Ａ）夫々の両端に軸受（１２Ｃ）具備出力翼（５３Ａ）具備夫々別々に仮組立工作機械で両端支持加工超高速バランス調整加工する各種エネルギ保存サイクル合体機関及び合体方法。
【請求項５６】
二重反転機関（１２Ｇ）＋竪型全動翼蒸気水重力タービン（１１Ｚ）発電の二重反転機関（１２Ｇ）逆浸透水（５２Ｄ）冷却とした外側軸装置（６０Ｂ）兼外側出力翼（５３Ａ）や内側軸装置（６０Ａ）兼内側出力翼（５３Ａ）夫々の両端に軸受（１２Ｃ）具備出力翼（５３Ａ）具備夫々別々に仮組立工作機械で両端支持加工超高速バランス調整超精密加工にする各種エネルギ保存サイクル合体機関及び合体方法。
【請求項５７】
二重反転機関（１２Ｇ）＋竪型全動翼蒸気水重力タービン（１１Ｚ）発電の二重反転機関（１２Ｇ）逆浸透水（５２Ｄ）冷却とした外側軸装置（６０Ｂ）兼外側出力翼（５３Ａ）や内側軸装置（６０Ａ）兼内側出力翼（５３Ａ）夫々の両端に軸受（１２Ｃ）具備出力翼（５３Ａ）具備夫々別々に仮組立工作機械で両端支持加工超高速バランス調整超精密加工後に本組立にする各種エネルギ保存サイクル合体機関及び合体方法。
【請求項５８】
各種連結駆動する２段圧縮機（１２Ｎ）逆浸透水（５２Ｄ）冷却とした外側軸装置（６０Ｂ）兼外側圧縮翼（５３Ｃ）や内側軸装置（６０Ａ）兼内側圧縮翼（５３Ｃ）夫々の両端に軸受（１２Ｃ）具備出力翼（５３Ａ）具備した二重反転機関（１２Ｇ）＋竪型全動翼蒸気水重力タービン（１１Ｚ）発電（１１Ａ）発電電気製造物駆動を含有した各種エネルギ保存サイクル合体機関及び合体方法。
【請求項５９】
各種連結駆動する２段圧縮機（１２Ｎ）逆浸透水（５２Ｄ）冷却とした外側軸装置（６０Ｂ）兼外側圧縮翼（５３Ｃ）や内側軸装置（６０Ａ）兼内側圧縮翼（５３Ｃ）夫々の両端に軸受（１２Ｃ）具備出力翼（５３Ａ）具備夫々別々に仮組立工作機械で両端支持加工を可能にした二重反転機関（１２Ｇ）＋竪型全動翼蒸気水重力タービン（１１Ｚ）発電（１１Ａ）発電電気製造物駆動を含有した各種エネルギ保存サイクル合体機関及び合体方法。
【請求項６０】
各種連結駆動する２段圧縮機（１２Ｎ）逆浸透水（５２Ｄ）冷却とした外側軸装置（６０Ｂ）兼外側圧縮翼（５３Ｃ）や内側軸装置（６０Ａ）兼内側圧縮翼（５３Ｃ）夫々の両端に軸受（１２Ｃ）具備出力翼（５３Ａ）具備夫々別々に仮組立工作機械で両端支持加工超高速バランス調整加工して、竪型全動翼蒸気水重力タービン（１１Ｚ）発電とした各種エネルギ保存サイクル合体機関及び合体方法。
【請求項６１】
各種連結駆動する２段圧縮機（１２Ｎ）逆浸透水（５２Ｄ）冷却とした外側軸装置（６０Ｂ）兼外側圧縮翼（５３Ｃ）や内側軸装置（６０Ａ）兼内側圧縮翼（５３Ｃ）夫々の両端に軸受（１２Ｃ）具備出力翼（５３Ａ）具備夫々別々に仮組立工作機械で両端支持加工超高速バランス調整超精密加工にして、竪型全動翼蒸気水重力タービン（１１Ｚ）発電とした各種エネルギ保存サイクル合体機関及び合体方法。
【請求項６２】
各種連結駆動する２段圧縮機（１２Ｎ）逆浸透水（５２Ｄ）冷却とした外側軸装置（６０Ｂ）兼外側圧縮翼（５３Ｃ）や内側軸装置（６０Ａ）兼内側圧縮翼（５３Ｃ）夫々の両端に軸受（１２Ｃ）具備出力翼（５３Ａ）具備夫々別々に仮組立工作機械で両端支持加工超高速バランス調整超精密加工後に本組立にして、竪型全動翼蒸気水重力タービン（１１Ｚ）発電とした各種エネルギ保存サイクル合体機関及び合体方法。
【請求項６３】
二重反転機関（１２Ｇ）＋竪型全動翼蒸気水重力タービン（１１Ｚ）発電の二重反転機関（１２Ｇ）逆浸透水（５２Ｄ）冷却翼とした外側軸装置（６０Ｂ）兼外側圧縮翼（５３Ｃ）や内側軸装置（６０Ａ）兼内側圧縮翼（５３Ｃ）夫々の両端に軸受（１２Ｃ）具備出力翼（５３Ａ）具備した各種エネルギ保存サイクル合体機関及び合体方法。
【請求項６４】
二重反転機関（１２Ｇ）＋竪型全動翼蒸気水重力タービン（１１Ｚ）発電の二重反転機関（１２Ｇ）逆浸透水（５２Ｄ）冷却翼とした外側軸装置（６０Ｂ）兼外側圧縮翼（５３Ｃ）や内側軸装置（６０Ａ）兼内側圧縮翼（５３Ｃ）夫々の両端に軸受（１２Ｃ）具備出力翼（５３Ａ）具備夫々別々に仮組立工作機械で両端支持加工を可能にした各種エネルギ保存サイクル合体機関及び合体方法。
【請求項６５】
二重反転機関（１２Ｇ）＋竪型全動翼蒸気水重力タービン（１１Ｚ）発電の二重反転機関（１２Ｇ）逆浸透水（５２Ｄ）冷却翼とした外側軸装置（６０Ｂ）兼外側圧縮翼（５３Ｃ）や内側軸装置（６０Ａ）兼内側圧縮翼（５３Ｃ）夫々の両端に軸受（１２Ｃ）具備出力翼（５３Ａ）具備夫々別々に仮組立工作機械で両端支持加工超高速バランス調整加工する各種エネルギ保存サイクル合体機関及び合体方法。
【請求項６６】
二重反転機関（１２Ｇ）＋竪型全動翼蒸気水重力タービン（１１Ｚ）発電の二重反転機関（１２Ｇ）逆浸透水（５２Ｄ）冷却翼とした外側軸装置（６０Ｂ）兼外側圧縮翼（５３Ｃ）や内側軸装置（６０Ａ）兼内側圧縮翼（５３Ｃ）夫々の両端に軸受（１２Ｃ）具備出力翼（５３Ａ）具備夫々別々に仮組立工作機械で両端支持加工超高速バランス調整超精密加工にする各種エネルギ保存サイクル合体機関及び合体方法。
【請求項６７】
二重反転機関（１２Ｇ）＋竪型全動翼蒸気水重力タービン（１１Ｚ）発電の二重反転機関（１２Ｇ）逆浸透水（５２Ｄ）冷却翼とした外側軸装置（６０Ｂ）兼外側圧縮翼（５３Ｃ）や内側軸装置（６０Ａ）兼内側圧縮翼（５３Ｃ）夫々の両端に軸受（１２Ｃ）具備出力翼（５３Ａ）具備夫々別々に仮組立工作機械で両端支持加工超高速バランス調整超精密加工後に本組立にする各種エネルギ保存サイクル合体機関及び合体方法。
【請求項６８】
二重反転機関（１２Ｇ）＋竪型全動翼蒸気水重力タービン（１１Ｚ）発電の二重反転機関（１２Ｇ）逆浸透水（５２Ｄ）冷却翼とした外側軸装置（６０Ｂ）兼外側出力翼（５３Ａ）や内側軸装置（６０Ａ）兼内側出力翼（５３Ａ）夫々の両端に軸受（１２Ｃ）具備出力翼（５３Ａ）具備した各種エネルギ保存サイクル合体機関及び合体方法。
【請求項６９】
二重反転機関（１２Ｇ）＋竪型全動翼蒸気水重力タービン（１１Ｚ）発電の二重反転機関（１２Ｇ）逆浸透水（５２Ｄ）冷却翼とした外側軸装置（６０Ｂ）兼外側出力翼（５３Ａ）や内側軸装置（６０Ａ）兼内側出力翼（５３Ａ）夫々の両端に軸受（１２Ｃ）具備出力翼（５３Ａ）具備夫々別々に仮組立工作機械で両端支持加工を可能にした各種エネルギ保存サイクル合体機関及び合体方法。
【請求項７０】
二重反転機関（１２Ｇ）＋竪型全動翼蒸気水重力タービン（１１Ｚ）発電の二重反転機関（１２Ｇ）逆浸透水（５２Ｄ）冷却翼とした外側軸装置（６０Ｂ）兼外側出力翼（５３Ａ）や内側軸装置（６０Ａ）兼内側出力翼（５３Ａ）夫々の両端に軸受（１２Ｃ）具備出力翼（５３Ａ）具備夫々別々に仮組立工作機械で両端支持加工超高速バランス調整加工する各種エネルギ保存サイクル合体機関及び合体方法。
【請求項７１】
二重反転機関（１２Ｇ）＋竪型全動翼蒸気水重力タービン（１１Ｚ）発電の二重反転機関（１２Ｇ）逆浸透水（５２Ｄ）冷却翼とした外側軸装置（６０Ｂ）兼外側出力翼（５３Ａ）や内側軸装置（６０Ａ）兼内側出力翼（５３Ａ）夫々の両端に軸受（１２Ｃ）具備出力翼（５３Ａ）具備夫々別々に仮組立工作機械で両端支持加工超高速バランス調整超精密加工にする各種エネルギ保存サイクル合体機関及び合体方法。
【請求項７２】
二重反転機関（１２Ｇ）＋竪型全動翼蒸気水重力タービン（１１Ｚ）発電の二重反転機関（１２Ｇ）逆浸透水（５２Ｄ）冷却翼とした外側軸装置（６０Ｂ）兼外側出力翼（５３Ａ）や内側軸装置（６０Ａ）兼内側出力翼（５３Ａ）夫々の両端に軸受（１２Ｃ）具備出力翼（５３Ａ）具備夫々別々に仮組立工作機械で両端支持加工超高速バランス調整超精密加工後に本組立にする各種エネルギ保存サイクル合体機関及び合体方法。
【請求項７３】
二重反転機関（１２Ｇ）＋竪型全動翼蒸気水重力タービン（１１Ｚ）超臨界圧力水蒸気（５Ｈ）製造の二重反転機関（１２Ｇ）逆浸透水（５２Ｄ）空気冷却翼とした外側軸装置（６０Ｂ）兼外側圧縮翼（５３Ｃ）や内側軸装置（６０Ａ）兼内側圧縮翼（５３Ｃ）夫々の両端に軸受（１２Ｃ）具備出力翼（５３Ａ）具備した各種エネルギ保存サイクル合体機関及び合体方法。
【請求項７４】
二重反転機関（１２Ｇ）＋竪型全動翼蒸気水重力タービン（１１Ｚ）超臨界圧力水蒸気（５Ｈ）製造の二重反転機関（１２Ｇ）逆浸透水（５２Ｄ）空気冷却翼とした外側軸装置（６０Ｂ）兼外側圧縮翼（５３Ｃ）や内側軸装置（６０Ａ）兼内側圧縮翼（５３Ｃ）夫々の両端に軸受（１２Ｃ）具備出力翼（５３Ａ）具備夫々別々に仮組立工作機械で両端支持加工を可能にした各種エネルギ保存サイクル合体機関及び合体方法。
【請求項７５】
二重反転機関（１２Ｇ）＋竪型全動翼蒸気水重力タービン（１１Ｚ）超臨界圧力水蒸気（５Ｈ）製造の二重反転機関（１２Ｇ）逆浸透水（５２Ｄ）空気冷却翼とした外側軸装置（６０Ｂ）兼外側圧縮翼（５３Ｃ）や内側軸装置（６０Ａ）兼内側圧縮翼（５３Ｃ）夫々の両端に軸受（１２Ｃ）具備出力翼（５３Ａ）具備夫々別々に仮組立工作機械で両端支持加工超高速バランス調整加工する各種エネルギ保存サイクル合体機関及び合体方法。
【請求項７６】
二重反転機関（１２Ｇ）＋竪型全動翼蒸気水重力タービン（１１Ｚ）超臨界圧力水蒸気（５Ｈ）製造の二重反転機関（１２Ｇ）逆浸透水（５２Ｄ）空気冷却翼とした外側軸装置（６０Ｂ）兼外側圧縮翼（５３Ｃ）や内側軸装置（６０Ａ）兼内側圧縮翼（５３Ｃ）夫々の両端に軸受（１２Ｃ）具備出力翼（５３Ａ）具備夫々別々に仮組立工作機械で両端支持加工超高速バランス調整超精密加工にする各種エネルギ保存サイクル合体機関及び合体方法。
【請求項７７】
二重反転機関（１２Ｇ）＋竪型全動翼蒸気水重力タービン（１１Ｚ）超臨界圧力水蒸気（５Ｈ）製造の二重反転機関（１２Ｇ）逆浸透水（５２Ｄ）空気冷却翼とした外側軸装置（６０Ｂ）兼外側圧縮翼（５３Ｃ）や内側軸装置（６０Ａ）兼内側圧縮翼（５３Ｃ）夫々の両端に軸受（１２Ｃ）具備出力翼（５３Ａ）具備夫々別々に仮組立工作機械で両端支持加工超高速バランス調整超精密加工後に本組立にする各種エネルギ保存サイクル合体機関及び合体方法。
【請求項７８】
二重反転機関（１２Ｇ）＋竪型全動翼蒸気水重力タービン（１１Ｚ）超臨界圧力水蒸気（５Ｈ）製造の二重反転機関（１２Ｇ）逆浸透水（５２Ｄ）空気冷却翼とした外側軸装置（６０Ｂ）兼外側出力翼（５３Ａ）や内側軸装置（６０Ａ）兼内側出力翼（５３Ａ）夫々の両端に軸受（１２Ｃ）具備出力翼（５３Ａ）具備した各種エネルギ保存サイクル合体機関及び合体方法。
【請求項７９】
二重反転機関（１２Ｇ）＋竪型全動翼蒸気水重力タービン（１１Ｚ）超臨界圧力水蒸気（５Ｈ）製造の二重反転機関（１２Ｇ）逆浸透水（５２Ｄ）空気冷却翼とした外側軸装置（６０Ｂ）兼外側出力翼（５３Ａ）や内側軸装置（６０Ａ）兼内側出力翼（５３Ａ）夫々の両端に軸受（１２Ｃ）具備出力翼（５３Ａ）具備夫々別々に仮組立工作機械で両端支持加工を可能にした各種エネルギ保存サイクル合体機関及び合体方法。
【請求項８０】
二重反転機関（１２Ｇ）＋竪型全動翼蒸気水重力タービン（１１Ｚ）超臨界圧力水蒸気（５Ｈ）製造の二重反転機関（１２Ｇ）逆浸透水（５２Ｄ）空気冷却翼とした外側軸装置（６０Ｂ）兼外側出力翼（５３Ａ）や内側軸装置（６０Ａ）兼内側出力翼（５３Ａ）夫々の両端に軸受（１２Ｃ）具備出力翼（５３Ａ）具備夫々別々に仮組立工作機械で両端支持加工超高速バランス調整加工する各種エネルギ保存サイクル合体機関及び合体方法。
【請求項８１】
二重反転機関（１２Ｇ）＋竪型全動翼蒸気水重力タービン（１１Ｚ）超臨界圧力水蒸気（５Ｈ）製造の二重反転機関（１２Ｇ）逆浸透水（５２Ｄ）空気冷却翼とした外側軸装置（６０Ｂ）兼外側出力翼（５３Ａ）や内側軸装置（６０Ａ）兼内側出力翼（５３Ａ）夫々の両端に軸受（１２Ｃ）具備出力翼（５３Ａ）具備夫々別々に仮組立工作機械で両端支持加工超高速バランス調整超精密加工にする各種エネルギ保存サイクル合体機関及び合体方法。
【請求項８２】
二重反転機関（１２Ｇ）＋竪型全動翼蒸気水重力タービン（１１Ｚ）超臨界圧力水蒸気（５Ｈ）製造の二重反転機関（１２Ｇ）逆浸透水（５２Ｄ）空気冷却翼とした外側軸装置（６０Ｂ）兼外側出力翼（５３Ａ）や内側軸装置（６０Ａ）兼内側出力翼（５３Ａ）夫々の両端に軸受（１２Ｃ）具備出力翼（５３Ａ）具備夫々別々に仮組立工作機械で両端支持加工超高速バランス調整超精密加工後に本組立にする各種エネルギ保存サイクル合体機関及び合体方法。
【請求項８３】
二重反転機関（１２Ｇ）＋竪型全動翼蒸気水重力タービン（１１Ｚ）発電超臨界圧力水蒸気（５Ｈ）製造の二重反転機関（１２Ｇ）逆浸透水（５２Ｄ）冷却とした外側軸装置（６０Ｂ）兼外側圧縮翼（５３Ｃ）や内側軸装置（６０Ａ）兼内側圧縮翼（５３Ｃ）夫々の両端に軸受（１２Ｃ）具備出力翼（５３Ａ）具備した各種エネルギ保存サイクル合体機関及び合体方法。
【請求項８４】
二重反転機関（１２Ｇ）＋竪型全動翼蒸気水重力タービン（１１Ｚ）発電超臨界圧力水蒸気（５Ｈ）製造の二重反転機関（１２Ｇ）逆浸透水（５２Ｄ）冷却とした外側軸装置（６０Ｂ）兼外側圧縮翼（５３Ｃ）や内側軸装置（６０Ａ）兼内側圧縮翼（５３Ｃ）夫々の両端に軸受（１２Ｃ）具備出力翼（５３Ａ）具備夫々別々に仮組立工作機械で両端支持加工を可能にした各種エネルギ保存サイクル合体機関及び合体方法。
【請求項８５】
二重反転機関（１２Ｇ）＋竪型全動翼蒸気水重力タービン（１１Ｚ）発電超臨界圧力水蒸気（５Ｈ）製造の二重反転機関（１２Ｇ）逆浸透水（５２Ｄ）冷却とした外側軸装置（６０Ｂ）兼外側圧縮翼（５３Ｃ）や内側軸装置（６０Ａ）兼内側圧縮翼（５３Ｃ）夫々の両端に軸受（１２Ｃ）具備出力翼（５３Ａ）具備夫々別々に仮組立工作機械で両端支持加工超高速バランス調整加工する各種エネルギ保存サイクル合体機関及び合体方法。
【請求項８６】
二重反転機関（１２Ｇ）＋竪型全動翼蒸気水重力タービン（１１Ｚ）発電超臨界圧力水蒸気（５Ｈ）製造の二重反転機関（１２Ｇ）逆浸透水（５２Ｄ）冷却とした外側軸装置（６０Ｂ）兼外側圧縮翼（５３Ｃ）や内側軸装置（６０Ａ）兼内側圧縮翼（５３Ｃ）夫々の両端に軸受（１２Ｃ）具備出力翼（５３Ａ）具備夫々別々に仮組立工作機械で両端支持加工超高速バランス調整超精密加工にする各種エネルギ保存サイクル合体機関及び合体方法。
【請求項８７】
二重反転機関（１２Ｇ）＋竪型全動翼蒸気水重力タービン（１１Ｚ）発電超臨界圧力水蒸気（５Ｈ）製造の二重反転機関（１２Ｇ）逆浸透水（５２Ｄ）冷却とした外側軸装置（６０Ｂ）兼外側圧縮翼（５３Ｃ）や内側軸装置（６０Ａ）兼内側圧縮翼（５３Ｃ）夫々の両端に軸受（１２Ｃ）具備出力翼（５３Ａ）具備夫々別々に仮組立工作機械で両端支持加工超高速バランス調整超精密加工後に本組立にする各種エネルギ保存サイクル合体機関及び合体方法。
【請求項８８】
二重反転機関（１２Ｇ）＋竪型全動翼蒸気水重力タービン（１１Ｚ）発電超臨界圧力水蒸気（５Ｈ）製造の二重反転機関（１２Ｇ）逆浸透水（５２Ｄ）冷却とした圧縮翼の外側軸装置（６０Ｂ）兼外側出力翼（５３Ａ）や内側軸装置（６０Ａ）兼内側出力翼（５３Ａ）夫々の両端に軸受（１２Ｃ）具備出力翼（５３Ａ）具備した各種エネルギ保存サイクル合体機関及び合体方法。
【請求項８９】
二重反転機関（１２Ｇ）＋竪型全動翼蒸気水重力タービン（１１Ｚ）発電超臨界圧力水蒸気（５Ｈ）製造の二重反転機関（１２Ｇ）逆浸透水（５２Ｄ）冷却とした圧縮翼の外側軸装置（６０Ｂ）兼外側出力翼（５３Ａ）や内側軸装置（６０Ａ）兼内側出力翼（５３Ａ）夫々の両端に軸受（１２Ｃ）具備出力翼（５３Ａ）具備夫々別々に仮組立工作機械で両端支持加工を可能にした各種エネルギ保存サイクル合体機関及び合体方法。
【請求項９０】
二重反転機関（１２Ｇ）＋竪型全動翼蒸気水重力タービン（１１Ｚ）発電超臨界圧力水蒸気（５Ｈ）製造の二重反転機関（１２Ｇ）逆浸透水（５２Ｄ）冷却とした圧縮翼の外側軸装置（６０Ｂ）兼外側出力翼（５３Ａ）や内側軸装置（６０Ａ）兼内側出力翼（５３Ａ）夫々の両端に軸受（１２Ｃ）具備出力翼（５３Ａ）具備夫々別々に仮組立工作機械で両端支持加工超高速バランス調整加工する各種エネルギ保存サイクル合体機関及び合体方法。
【請求項９１】
二重反転機関（１２Ｇ）＋竪型全動翼蒸気水重力タービン（１１Ｚ）発電超臨界圧力水蒸気（５Ｈ）製造の二重反転機関（１２Ｇ）逆浸透水（５２Ｄ）冷却とした圧縮翼の外側軸装置（６０Ｂ）兼外側出力翼（５３Ａ）や内側軸装置（６０Ａ）兼内側出力翼（５３Ａ）夫々の両端に軸受（１２Ｃ）具備出力翼（５３Ａ）具備夫々別々に仮組立工作機械で両端支持加工超高速バランス調整超精密加工にする各種エネルギ保存サイクル合体機関及び合体方法。
【請求項９２】
二重反転機関（１２Ｇ）＋竪型全動翼蒸気水重力タービン（１１Ｚ）発電超臨界圧力水蒸気（５Ｈ）製造の二重反転機関（１２Ｇ）逆浸透水（５２Ｄ）冷却とした圧縮翼の外側軸装置（６０Ｂ）兼外側出力翼（５３Ａ）や内側軸装置（６０Ａ）兼内側出力翼（５３Ａ）夫々の両端に軸受（１２Ｃ）具備出力翼（５３Ａ）具備夫々別々に仮組立工作機械で両端支持加工超高速バランス調整超精密加工後に本組立にする各種エネルギ保存サイクル合体機関及び合体方法。
【請求項９３】
既存の静翼を全廃して全動翼二重反転とした二重反転機関（１２Ｇ）に圧縮空気熱交換器（２Ｙ）を具備して超臨界圧力水蒸気（５Ｈ）製造量を同一燃料量既存ボイラーの２０倍以上として回転出力を既存ガスタービンの２０倍以上にして、竪型全動翼蒸気水重力タービン（１１Ｚ）発電とした各種エネルギ保存サイクル合体機関及び合体方法。
【請求項９４】
既存の静翼を全廃して全動翼二重反転とした二重反転機関（１２Ｇ）に圧縮空気熱交換器（２Ｙ）を具備して超臨界圧力水蒸気（５Ｈ）製造量を同一燃料量既存ボイラーの４０倍以上として回転出力を既存ガスタービンの４０倍以上にして、竪型全動翼蒸気水重力タービン（１１Ｚ）発電とした各種エネルギ保存サイクル合体機関及び合体方法。
【請求項９５】
既存の静翼を全廃して全動翼二重反転とした二重反転機関（１２Ｇ）に圧縮空気熱交換器（２Ｙ）を具備して超臨界圧力水蒸気（５Ｈ）製造量を同一燃料量既存ボイラーの８倍以上として回転出力を既存ガスタービンの１６倍以上にして、竪型全動翼蒸気水重力タービン（１１Ｚ）発電とした各種エネルギ保存サイクル合体機関及び合体方法。
【請求項９６】
既存の静翼を全廃して全動翼二重反転とした二重反転機関（１２Ｇ）に圧縮空気熱交換器（２Ｙ）を具備して超臨界圧力水蒸気（５Ｈ）製造量を同一燃料量既存ボイラーの４０倍以上として回転出力を既存ガスタービンの８０倍以上にして、竪型全動翼蒸気水重力タービン（１１Ｚ）発電とした各種エネルギ保存サイクル合体機関及び合体方法。
【請求項９７】
既存の静翼を全廃して全動翼二重反転とした二重反転機関（１２Ｇ）に圧縮空気熱交換器（２Ｙ）を具備して超臨界圧力水蒸気（５Ｈ）製造量を同一燃料量既存ボイラーの８倍以上として回転出力を既存ガスタービンの１６倍以上にして、竪型全動翼蒸気水重力タービン（１１Ｚ）発電とした各種エネルギ保存サイクル合体機関及び合体方法。
【請求項９８】
既存の静翼を全廃して全動翼二重反転とした二重反転機関（１２Ｇ）に圧縮空気熱交換器（２Ｙ）を具備して超臨界圧力水蒸気（５Ｈ）製造量を同一燃料量既存ボイラーの２倍以上として既存火力発電の４倍以上発電量の、竪型全動翼蒸気水重力タービン（１１Ｚ）発電とした各種エネルギ保存サイクル合体機関及び合体方法。
【請求項９９】
既存の静翼を全廃して全動翼二重反転とした二重反転機関（１２Ｇ）に圧縮空気熱交換器（２Ｙ）を具備して超臨界圧力水蒸気（５Ｈ）製造量を同一燃料量既存ボイラーの３倍以上として既存火力発電の６倍以上発電量の、竪型全動翼蒸気水重力タービン（１１Ｚ）発電とした各種エネルギ保存サイクル合体機関及び合体方法。
【請求項１００】
既存の静翼を全廃して全動翼二重反転とした二重反転機関（１２Ｇ）に圧縮空気熱交換器（２Ｙ）を具備して超臨界圧力水蒸気（５Ｈ）製造量を同一燃料量既存ボイラーの４倍以上として既存火力発電の８倍以上発電量の、竪型全動翼蒸気水重力タービン（１１Ｚ）発電とした各種エネルギ保存サイクル合体機関及び合体方法。
【請求項１０１】
既存の静翼を全廃して全動翼二重反転とした二重反転機関（１２Ｇ）に圧縮空気熱交換器（２Ｙ）を具備して超臨界圧力水蒸気（５Ｈ）製造量を同一燃料量既存ボイラーの５倍以上として既存火力発電の１０倍以上発電量の、竪型全動翼蒸気水重力タービン（１１Ｚ）発電とした各種エネルギ保存サイクル合体機関及び合体方法。
【請求項１０２】
既存の静翼を全廃して全動翼二重反転とした二重反転機関（１２Ｇ）に圧縮空気熱交換器（２Ｙ）を具備して超臨界圧力水蒸気（５Ｈ）製造量を同一燃料量既存ボイラーの６倍以上として既存火力発電の１２倍以上発電量の、竪型全動翼蒸気水重力タービン（１１Ｚ）発電とした各種エネルギ保存サイクル合体機関及び合体方法。
【請求項１０３】
既存の静翼を全廃して全動翼二重反転とした二重反転機関（１２Ｇ）に圧縮空気熱交換器（２Ｙ）を具備して超臨界圧力水蒸気（５Ｈ）製造量を同一燃料量既存ボイラーの８倍以上として既存火力発電の１６倍以上発電量の、竪型全動翼蒸気水重力タービン（１１Ｚ）発電とした各種エネルギ保存サイクル合体機関及び合体方法。
【請求項１０４】
既存の静翼を全廃して全動翼二重反転とした二重反転機関（１２Ｇ）に圧縮空気熱交換器（２Ｙ）を具備して超臨界圧力水蒸気（５Ｈ）製造量を同一燃料量既存ボイラーの９倍以上として既存火力発電の１８倍以上発電量の、竪型全動翼蒸気水重力タービン（１１Ｚ）発電とした各種エネルギ保存サイクル合体機関及び合体方法。
【請求項１０５】
既存の静翼を全廃して全動翼二重反転とした二重反転機関（１２Ｇ）に圧縮空気熱交換器（２Ｙ）を具備して超臨界圧力水蒸気（５Ｈ）製造量を同一燃料量既存ボイラーの１０倍以上として既存火力発電の２０倍以上発電量の、竪型全動翼蒸気水重力タービン（１１Ｚ）発電とした各種エネルギ保存サイクル合体機関及び合体方法。
【請求項１０６】
既存の静翼を全廃して全動翼二重反転とした二重反転機関（１２Ｇ）に圧縮空気熱交換器（２Ｙ）を具備して超臨界圧力水蒸気（５Ｈ）製造量を同一燃料量既存ボイラーの１１倍以上として既存火力発電の２２倍以上発電量の、竪型全動翼蒸気水重力タービン（１１Ｚ）発電とした各種エネルギ保存サイクル合体機関及び合体方法。
【請求項１０７】
既存の静翼を全廃して全動翼二重反転とした二重反転機関（１２Ｇ）に圧縮空気熱交換器（２Ｙ）を具備して超臨界圧力水蒸気（５Ｈ）製造量を同一燃料量既存ボイラーの１２倍以上として既存火力発電の２４倍以上発電量の、竪型全動翼蒸気水重力タービン（１１Ｚ）発電とした各種エネルギ保存サイクル合体機関及び合体方法。
【請求項１０８】
既存の静翼を全廃して全動翼二重反転とした二重反転機関（１２Ｇ）に圧縮空気熱交換器（２Ｙ）を具備して超臨界圧力水蒸気（５Ｈ）製造量を同一燃料量既存ボイラーの１３倍以上として既存火力発電の２６倍以上発電量の、竪型全動翼蒸気水重力タービン（１１Ｚ）発電とした各種エネルギ保存サイクル合体機関及び合体方法。
【請求項１０９】
既存の静翼を全廃して全動翼二重反転とした二重反転機関（１２Ｇ）に圧縮空気熱交換器（２Ｙ）を具備して超臨界圧力水蒸気（５Ｈ）製造量を同一燃料量既存ボイラーの１４倍以上として既存火力発電の２８倍以上発電量の、竪型全動翼蒸気水重力タービン（１１Ｚ）発電とした各種エネルギ保存サイクル合体機関及び合体方法。
【請求項１１０】
既存の静翼を全廃して全動翼二重反転とした二重反転機関（１２Ｇ）に圧縮空気熱交換器（２Ｙ）を具備して超臨界圧力水蒸気（５Ｈ）製造量を同一燃料量既存ボイラーの１６倍以上として既存火力発電の３２倍以上発電量の、竪型全動翼蒸気水重力タービン（１１Ｚ）発電とした各種エネルギ保存サイクル合体機関及び合体方法。
【請求項１１１】
既存の静翼を全廃して全動翼二重反転とした二重反転機関（１２Ｇ）に圧縮空気熱交換器（２Ｙ）を具備して超臨界圧力水蒸気（５Ｈ）製造量を同一燃料量既存ボイラーの１８倍以上として既存火力発電の３６倍以上発電量の、竪型全動翼蒸気水重力タービン（１１Ｚ）発電とした各種エネルギ保存サイクル合体機関及び合体方法。
【請求項１１２】
既存の静翼を全廃して全動翼二重反転とした二重反転機関（１２Ｇ）に圧縮空気熱交換器（２Ｙ）を具備して超臨界圧力水蒸気（５Ｈ）製造量を同一燃料量既存ボイラーの２０倍以上として既存火力発電の４０倍以上発電量の、竪型全動翼蒸気水重力タービン（１１Ｚ）発電とした各種エネルギ保存サイクル合体機関及び合体方法。
【請求項１１３】
既存の静翼を全廃して全動翼二重反転とした二重反転機関（１２Ｇ）に圧縮空気熱交換器（２Ｙ）を具備して超臨界圧力水蒸気（５Ｈ）製造量を同一燃料量既存ボイラーの２２倍以上として既存火力発電の４４倍以上発電量の、竪型全動翼蒸気水重力タービン（１１Ｚ）発電とした各種エネルギ保存サイクル合体機関及び合体方法。
【請求項１１４】
既存の静翼を全廃して全動翼二重反転とした二重反転機関（１２Ｇ）に圧縮空気熱交換器（２Ｙ）を具備して超臨界圧力水蒸気（５Ｈ）製造量を同一燃料量既存ボイラーの２４倍以上として既存火力発電の４８倍以上発電量の、竪型全動翼蒸気水重力タービン（１１Ｚ）発電とした各種エネルギ保存サイクル合体機関及び合体方法。
【請求項１１５】
既存の静翼を全廃して全動翼二重反転とした二重反転機関（１２Ｇ）に圧縮空気熱交換器（２Ｙ）を具備して超臨界圧力水蒸気（５Ｈ）製造量を同一燃料量既存ボイラーの２６倍以上として既存火力発電の５２倍以上発電量の、竪型全動翼蒸気水重力タービン（１１Ｚ）発電とした各種エネルギ保存サイクル合体機関及び合体方法。
【請求項１１６】
既存の静翼を全廃して全動翼二重反転とした簡単噴射機関（８９Ｅ）に圧縮空気熱交換器（２Ｙ）を具備して超臨界圧力水蒸気（５Ｈ）製造量を同一燃料量既存ボイラーの２８倍以上として既存火力発電の５６倍以上発電量の、竪型全動翼蒸気水重力タービン（１１Ｚ）発電とした各種エネルギ保存サイクル合体機関及び合体方法。
【請求項１１７】
既存の静翼を全廃して全動翼二重反転とした簡単噴射機関（８９Ｅ）に圧縮空気熱交換器（２Ｙ）を具備して超臨界圧力水蒸気（５Ｈ）製造量を同一燃料量既存ボイラーの３０倍以上として既存火力発電の６０倍以上発電量の、竪型全動翼蒸気水重力タービン（１１Ｚ）発電とした各種エネルギ保存サイクル合体機関及び合体方法。
【請求項１１８】
既存の静翼を全廃して全動翼二重反転とした簡単噴射機関（８９Ｅ）に圧縮空気熱交換器（２Ｙ）を具備して超臨界圧力水蒸気（５Ｈ）製造量を同一燃料量既存ボイラーの３２倍以上として既存火力発電の６４倍以上発電量の、竪型全動翼蒸気水重力タービン（１１Ｚ）発電とした各種エネルギ保存サイクル合体機関及び合体方法。
【請求項１１９】
既存の静翼を全廃して全動翼二重反転とした簡単噴射機関（８９Ｅ）に圧縮空気熱交換器（２Ｙ）を具備して超臨界圧力水蒸気（５Ｈ）製造量を同一燃料量既存ボイラーの３４倍以上として既存火力発電の６８倍以上発電量の、竪型全動翼蒸気水重力タービン（１１Ｚ）発電とした各種エネルギ保存サイクル合体機関及び合体方法。
【請求項１２０】
既存の静翼を全廃して全動翼二重反転とした簡単噴射機関（８９Ｅ）に圧縮空気熱交換器（２Ｙ）を具備して超臨界圧力水蒸気（５Ｈ）製造量を同一燃料量既存ボイラーの３６倍以上として既存火力発電の７２倍以上発電量の、竪型全動翼蒸気水重力タービン（１１Ｚ）発電とした各種エネルギ保存サイクル合体機関及び合体方法。
【請求項１２１】
既存の静翼を全廃して全動翼二重反転とした簡単噴射機関（８９Ｅ）に圧縮空気熱交換器（２Ｙ）を具備して超臨界圧力水蒸気（５Ｈ）製造量を同一燃料量既存ボイラーの３８倍以上として既存火力発電の７６倍以上発電量の、竪型全動翼蒸気水重力タービン（１１Ｚ）発電とした各種エネルギ保存サイクル合体機関及び合体方法。
【請求項１２２】
既存の静翼を全廃して全動翼二重反転とした簡単噴射機関（８９Ｅ）に圧縮空気熱交換器（２Ｙ）を具備して超臨界圧力水蒸気（５Ｈ）製造量を同一燃料量既存ボイラーの４０倍以上として既存火力発電の８０倍以上発電量の、竪型全動翼蒸気水重力タービン（１１Ｚ）発電とした各種エネルギ保存サイクル合体機関及び合体方法。
【請求項１２３】
既存の静翼を全廃して全動翼二重反転とした簡単噴射機関（８９Ｅ）に圧縮空気熱交換器（２Ｙ）を具備して超臨界圧力水蒸気（５Ｈ）製造量を同一燃料量既存ボイラーの４２倍以上として既存火力発電の８４倍以上発電量の、竪型全動翼蒸気水重力タービン（１１Ｚ）発電とした各種エネルギ保存サイクル合体機関及び合体方法。
【請求項１２４】
既存の静翼を全廃して全動翼二重反転とした簡単噴射機関（８９Ｅ）に圧縮空気熱交換器（２Ｙ）を具備して超臨界圧力水蒸気（５Ｈ）製造量を同一燃料量既存ボイラーの４４倍以上として既存火力発電の８８倍以上発電量の、竪型全動翼蒸気水重力タービン（１１Ｚ）発電とした各種エネルギ保存サイクル合体機関及び合体方法。
【請求項１２５】
既存の静翼を全廃して全動翼二重反転とした簡単噴射機関（８９Ｅ）に圧縮空気熱交換器（２Ｙ）を具備して超臨界圧力水蒸気（５Ｈ）製造量を同一燃料量既存ボイラーの４６倍以上として既存火力発電の９２倍以上発電量の、竪型全動翼蒸気水重力タービン（１１Ｚ）発電とした各種エネルギ保存サイクル合体機関及び合体方法。
【請求項１２６】
既存の静翼を全廃して全動翼二重反転とした簡単噴射機関（８９Ｅ）に圧縮空気熱交換器（２Ｙ）を具備して超臨界圧力水蒸気（５Ｈ）製造量を同一燃料量既存ボイラーの４８倍以上として既存火力発電の９６倍以上発電量の、竪型全動翼蒸気水重力タービン（１１Ｚ）発電とした各種エネルギ保存サイクル合体機関及び合体方法。
【請求項１２７】
既存の静翼を全廃して全動翼二重反転とした簡単噴射機関（８９Ｅ）に圧縮空気熱交換器（２Ｙ）を具備して超臨界圧力水蒸気（５Ｈ）製造量を同一燃料量既存ボイラーの５０倍以上として既存火力発電の１００倍以上発電量の、竪型全動翼蒸気水重力タービン（１１Ｚ）発電とした各種エネルギ保存サイクル合体機関及び合体方法。
【請求項１２８】
既存の静翼を全廃して全動翼二重反転とした簡単空気噴射機関（８９Ｄ）に圧縮空気熱交換器（２Ｙ）を具備して超臨界圧力水蒸気（５Ｈ）製造量を同一燃料量既存ボイラーの５２倍以上として既存火力発電の１０４倍以上発電量の、竪型全動翼蒸気水重力タービン（１１Ｚ）発電とした各種エネルギ保存サイクル合体機関及び合体方法。
【請求項１２９】
既存の静翼を全廃して全動翼二重反転とした簡単空気噴射機関（８９Ｄ）に圧縮空気熱交換器（２Ｙ）を具備して超臨界圧力水蒸気（５Ｈ）製造量を同一燃料量既存ボイラーの５４倍以上として既存火力発電の１０８倍以上発電量の、竪型全動翼蒸気水重力タービン（１１Ｚ）発電とした各種エネルギ保存サイクル合体機関及び合体方法。
【請求項１３０】
既存の静翼を全廃して全動翼二重反転とした簡単空気噴射機関（８９Ｄ）に圧縮空気熱交換器（２Ｙ）を具備して超臨界圧力水蒸気（５Ｈ）製造量を同一燃料量既存ボイラーの５６倍以上として既存火力発電の１１２倍以上発電量の、竪型全動翼蒸気水重力タービン（１１Ｚ）発電とした各種エネルギ保存サイクル合体機関及び合体方法。
【請求項１３１】
太陽光加熱器（２１）で加熱高温とした空気（２８ａ）を逆浸透水（５２Ｄ）冷却した圧縮翼二重反転で吸入冷却圧縮する二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１３２】
太陽光加熱器（２１）で加熱高温とした空気（２８ａ）を逆浸透水（５２Ｄ）冷却した圧縮翼二重反転で吸入冷却圧縮圧縮比５０にする二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１３３】
太陽光加熱器（２１）で加熱高温とした空気（２８ａ）を逆浸透水（５２Ｄ）冷却した圧縮翼二重反転で吸入冷却圧縮圧縮比６０にする二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１３４】
太陽光加熱器（２１）で加熱高温とした空気（２８ａ）を逆浸透水（５２Ｄ）冷却した圧縮翼二重反転で吸入冷却圧縮圧縮比７０にする二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１３５】
太陽光加熱器（２１）で加熱高温とした空気（２８ａ）を逆浸透水（５２Ｄ）冷却した圧縮翼二重反転で吸入冷却圧縮圧縮比８０にする二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１３６】
太陽光加熱器（２１）で加熱高温とした空気（２８ａ）を逆浸透水（５２Ｄ）冷却した圧縮翼二重反転で吸入冷却圧縮圧縮比９０にする二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１３７】
太陽光加熱器（２１）で加熱高温とした空気（２８ａ）を逆浸透水（５２Ｄ）冷却した圧縮翼二重反転で吸入冷却圧縮圧縮比１００にする二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１３８】
太陽光加熱器（２１）で加熱高温とした空気（２８ａ）を逆浸透水（５２Ｄ）冷却した圧縮翼二重反転で吸入冷却圧縮圧縮比５０にして圧縮空気熱交換器（２Ｙ）に噴射する二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１３９】
太陽光加熱器（２１）で加熱高温とした空気（２８ａ）を逆浸透水（５２Ｄ）冷却した圧縮翼二重反転で吸入冷却圧縮圧縮比６０にして圧縮空気熱交換器（２Ｙ）に噴射する二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１４０】
太陽光加熱器（２１）で加熱高温とした空気（２８ａ）を逆浸透水（５２Ｄ）冷却した圧縮翼二重反転で吸入冷却圧縮圧縮比７０にして圧縮空気熱交換器（２Ｙ）に噴射する二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１４１】
太陽光加熱器（２１）で加熱高温とした空気（２８ａ）を逆浸透水（５２Ｄ）冷却した圧縮翼二重反転で吸入冷却圧縮圧縮比８０にして圧縮空気熱交換器（２Ｙ）に噴射する二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１４２】
太陽光加熱器（２１）で加熱高温とした空気（２８ａ）を逆浸透水（５２Ｄ）冷却した圧縮翼二重反転で吸入冷却圧縮圧縮比９０にして圧縮空気熱交換器（２Ｙ）に噴射する二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１４３】
太陽光加熱器（２１）で加熱高温とした空気（２８ａ）を逆浸透水（５２Ｄ）冷却した圧縮翼二重反転で吸入冷却圧縮圧縮比１００にして圧縮空気熱交換器（２Ｙ）に噴射する二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１４４】
太陽光加熱器（２１）で加熱高温とした空気（２８ａ）を逆浸透水（５２Ｄ）冷却した圧縮翼二重反転で吸入冷却圧縮し、圧縮比５０にして圧縮空気熱交換器（２Ｙ）に噴射する二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１４５】
太陽光加熱器（２１）で加熱高温とした空気（２８ａ）を逆浸透水（５２Ｄ）冷却した圧縮翼二重反転で吸入冷却圧縮し、圧縮比６０にして圧縮空気熱交換器（２Ｙ）に噴射する二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１４６】
太陽光加熱器（２１）で加熱高温とした空気（２８ａ）を逆浸透水（５２Ｄ）冷却した圧縮翼二重反転で吸入冷却圧縮し、圧縮比７０にして圧縮空気熱交換器（２Ｙ）に噴射する二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１４７】
太陽光加熱器（２１）で加熱高温とした空気（２８ａ）を逆浸透水（５２Ｄ）冷却した圧縮翼二重反転で吸入冷却圧縮し、圧縮比８０にして圧縮空気熱交換器（２Ｙ）に噴射する二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１４８】
太陽光加熱器（２１）で加熱高温とした空気（２８ａ）を逆浸透水（５２Ｄ）冷却した圧縮翼二重反転で吸入冷却圧縮し、圧縮比９０にして圧縮空気熱交換器（２Ｙ）に噴射する二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１４９】
太陽光加熱器（２１）で加熱高温とした空気（２８ａ）を逆浸透水（５２Ｄ）冷却した圧縮翼二重反転で吸入冷却圧縮し、圧縮比１００にして圧縮空気熱交換器（２Ｙ）に噴射する二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１５０】
太陽光加熱器（２１）で加熱高温とした空気（２８ａ）を逆浸透水（５２Ｄ）冷却した圧縮翼二重反転で吸入冷却圧縮圧縮比５０にして圧縮空気熱交換器（２Ｙ）に噴射燃料噴射燃焼熱交換超臨界圧力水蒸気（５Ｈ）製造する二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１５１】
太陽光加熱器（２１）で加熱高温とした空気（２８ａ）を逆浸透水（５２Ｄ）冷却した圧縮翼二重反転で吸入冷却圧縮圧縮比６０にして圧縮空気熱交換器（２Ｙ）に噴射燃料噴射燃焼熱交換超臨界圧力水蒸気（５Ｈ）製造する二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１５２】
太陽光加熱器（２１）で加熱高温とした空気（２８ａ）を逆浸透水（５２Ｄ）冷却した圧縮翼二重反転で吸入冷却圧縮圧縮比７０にして圧縮空気熱交換器（２Ｙ）に噴射燃料噴射燃焼熱交換超臨界圧力水蒸気（５Ｈ）製造する二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１５３】
太陽光加熱器（２１）で加熱高温とした空気（２８ａ）を逆浸透水（５２Ｄ）冷却した圧縮翼二重反転で吸入冷却圧縮圧縮比８０にして圧縮空気熱交換器（２Ｙ）に噴射燃料噴射燃焼熱交換超臨界圧力水蒸気（５Ｈ）製造する二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１５４】
太陽光加熱器（２１）で加熱高温とした空気（２８ａ）を逆浸透水（５２Ｄ）冷却した圧縮翼二重反転で吸入冷却圧縮圧縮比９０にして圧縮空気熱交換器（２Ｙ）に噴射燃料噴射燃焼熱交換超臨界圧力水蒸気（５Ｈ）製造する二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１５５】
太陽光加熱器（２１）で加熱高温とした空気（２８ａ）を逆浸透水（５２Ｄ）冷却した圧縮翼二重反転で吸入冷却圧縮圧縮比１００にして圧縮空気熱交換器（２Ｙ）に噴射燃料噴射燃焼熱交換超臨界圧力水蒸気（５Ｈ）製造する二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１５６】
太陽光加熱器（２１）で加熱高温とした空気（２８ａ）を逆浸透水（５２Ｄ）冷却した圧縮翼二重反転で吸入冷却圧縮圧縮比５０にして圧縮空気熱交換器（２Ｙ）に噴射燃料噴射燃焼熱交換超臨界圧力水蒸気（５Ｈ）を同一燃料量既存ボイラーの５０倍以上製造する二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１５７】
太陽光加熱器（２１）で加熱高温とした空気（２８ａ）を逆浸透水（５２Ｄ）冷却した圧縮翼二重反転で吸入冷却圧縮圧縮比６０にして圧縮空気熱交換器（２Ｙ）に噴射燃料噴射燃焼熱交換超臨界圧力水蒸気（５Ｈ）を同一燃料量既存ボイラーの６０倍以上製造する二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１５８】
太陽光加熱器（２１）で加熱高温とした空気（２８ａ）を逆浸透水（５２Ｄ）冷却した圧縮翼二重反転で吸入冷却圧縮圧縮比７０にして圧縮空気熱交換器（２Ｙ）に噴射燃料噴射燃焼熱交換超臨界圧力水蒸気（５Ｈ）を同一燃料量既存ボイラーの７０倍以上製造する二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１５９】
太陽光加熱器（２１）で加熱高温とした空気（２８ａ）を逆浸透水（５２Ｄ）冷却した圧縮翼二重反転で吸入冷却圧縮圧縮比８０にして圧縮空気熱交換器（２Ｙ）に噴射燃料噴射燃焼熱交換超臨界圧力水蒸気（５Ｈ）を同一燃料量既存ボイラーの８０倍以上製造する二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１６０】
太陽光加熱器（２１）で加熱高温とした空気（２８ａ）を逆浸透水（５２Ｄ）冷却した圧縮翼二重反転で吸入冷却圧縮圧縮比９０にして圧縮空気熱交換器（２Ｙ）に噴射燃料噴射燃焼熱交換超臨界圧力水蒸気（５Ｈ）を同一燃料量既存ボイラーの９０倍以上製造する二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１６１】
太陽光加熱器（２１）で加熱高温とした空気（２８ａ）を逆浸透水（５２Ｄ）冷却した圧縮翼二重反転で吸入冷却圧縮圧縮比１００にして圧縮空気熱交換器（２Ｙ）に噴射燃料噴射燃焼熱交換超臨界圧力水蒸気（５Ｈ）を同一燃料量既存ボイラーの１００倍以上製造する二重反転機関（１２Ｇ）製造超臨界圧力水蒸気（５Ｈ）駆動竪型全動翼蒸気水重力タービン（１１Ｚ）発電とする各種エネルギ保存サイクル合体機関及び合体方法。
【請求項１６２】
太陽光加熱器（２１）で加熱高温とした空気（２８ａ）を逆浸透水（５２Ｄ）冷却した圧縮翼二重反転で吸入冷却圧縮圧縮比５０以上にして圧縮空気熱交換器（２Ｙ）に噴射燃料噴射燃焼熱交換超臨界圧力水蒸気（５Ｈ）製造する二重反転機関（１２Ｇ）＋竪型全動翼蒸気水重力タービン（１１Ｚ）発電とした竪型全動翼蒸気水重力タービン（１１Ｚ）発電とする各種エネルギ保存サイクル合体機関及び合体方法。
【請求項１６３】
太陽光加熱器（２１）で加熱高温とした空気（２８ａ）を逆浸透水（５２Ｄ）冷却した圧縮翼二重反転で吸入冷却圧縮圧縮比６０以上にして圧縮空気熱交換器（２Ｙ）に噴射燃料噴射燃焼熱交換超臨界圧力水蒸気（５Ｈ）製造する二重反転機関（１２Ｇ）＋竪型全動翼蒸気水重力タービン（１１Ｚ）発電とした竪型全動翼蒸気水重力タービン（１１Ｚ）発電とする各種エネルギ保存サイクル合体機関及び合体方法。
【請求項１６４】
太陽光加熱器（２１）で加熱高温とした空気（２８ａ）を逆浸透水（５２Ｄ）冷却した圧縮翼二重反転で吸入冷却圧縮圧縮比７０以上にして圧縮空気熱交換器（２Ｙ）に噴射燃料噴射燃焼熱交換超臨界圧力水蒸気（５Ｈ）製造する二重反転機関（１２Ｇ）＋竪型全動翼蒸気水重力タービン（１１Ｚ）発電とした竪型全動翼蒸気水重力タービン（１１Ｚ）発電とする各種エネルギ保存サイクル合体機関及び合体方法。
【請求項１６５】
太陽光加熱器（２１）で加熱高温とした空気（２８ａ）を逆浸透水（５２Ｄ）冷却した圧縮翼二重反転で吸入冷却圧縮圧縮比８０以上にして圧縮空気熱交換器（２Ｙ）に噴射燃料噴射燃焼熱交換超臨界圧力水蒸気（５Ｈ）製造する二重反転機関（１２Ｇ）＋竪型全動翼蒸気水重力タービン（１１Ｚ）発電とした竪型全動翼蒸気水重力タービン（１１Ｚ）発電とする各種エネルギ保存サイクル合体機関及び合体方法。
【請求項１６６】
太陽光加熱器（２１）で加熱高温とした空気（２８ａ）を逆浸透水（５２Ｄ）冷却した圧縮翼二重反転で吸入冷却圧縮圧縮比９０以上にして圧縮空気熱交換器（２Ｙ）に噴射燃料噴射燃焼熱交換超臨界圧力水蒸気（５Ｈ）製造する二重反転機関（１２Ｇ）＋竪型全動翼蒸気水重力タービン（１１Ｚ）発電とした竪型全動翼蒸気水重力タービン（１１Ｚ）発電とする各種エネルギ保存サイクル合体機関及び合体方法。
【請求項１６７】
太陽光加熱器（２１）で加熱高温とした空気（２８ａ）を逆浸透水（５２Ｄ）冷却した圧縮翼二重反転で吸入冷却圧縮圧縮比１００以上にして圧縮空気熱交換器（２Ｙ）に噴射燃料噴射燃焼熱交換超臨界圧力水蒸気（５Ｈ）製造する二重反転機関（１２Ｇ）＋竪型全動翼蒸気水重力タービン（１１Ｚ）発電とした竪型全動翼蒸気水重力タービン（１１Ｚ）発電とする各種エネルギ保存サイクル合体機関及び合体方法。
【請求項１６８】
太陽光加熱器（２１）で加熱高温とした空気（２８ａ）を逆浸透水（５２Ｄ）冷却した圧縮翼二重反転で吸入冷却圧縮圧縮比５０以上にして圧縮空気熱交換器（２Ｙ）に噴射燃料噴射燃焼熱交換超臨界圧力水蒸気（５Ｈ）製造する二重反転機関（１２Ｇ）＋竪型全動翼蒸気水重力タービン（１１Ｚ）発電とした竪型全動翼蒸気水重力タービン（１１Ｚ）発電とする各種エネルギ保存サイクル合体機関及び合体方法。
【請求項１６９】
太陽光加熱器（２１）で加熱高温とした空気（２８ａ）を逆浸透水（５２Ｄ）冷却した圧縮翼二重反転で吸入冷却圧縮圧縮比６０以上にして圧縮空気熱交換器（２Ｙ）に噴射燃料噴射燃焼熱交換超臨界圧力水蒸気（５Ｈ）製造する二重反転機関（１２Ｇ）＋竪型全動翼蒸気水重力タービン（１１Ｚ）発電とした竪型全動翼蒸気水重力タービン（１１Ｚ）発電とする各種エネルギ保存サイクル合体機関及び合体方法。
【請求項１７０】
太陽光加熱器（２１）で加熱高温とした空気（２８ａ）を逆浸透水（５２Ｄ）冷却した圧縮翼二重反転で吸入冷却圧縮圧縮比７０以上にして圧縮空気熱交換器（２Ｙ）に噴射燃料噴射燃焼熱交換超臨界圧力水蒸気（５Ｈ）製造する二重反転機関（１２Ｇ）＋竪型全動翼蒸気水重力タービン（１１Ｚ）発電とした竪型全動翼蒸気水重力タービン（１１Ｚ）発電とする各種エネルギ保存サイクル合体機関及び合体方法。
【請求項１７１】
太陽光加熱器（２１）で加熱高温とした空気（２８ａ）を逆浸透水（５２Ｄ）冷却した圧縮翼二重反転で吸入冷却圧縮圧縮比８０以上にして圧縮空気熱交換器（２Ｙ）に噴射燃料噴射燃焼熱交換超臨界圧力水蒸気（５Ｈ）製造する二重反転機関（１２Ｇ）＋竪型全動翼蒸気水重力タービン（１１Ｚ）発電とした竪型全動翼蒸気水重力タービン（１１Ｚ）発電とする各種エネルギ保存サイクル合体機関及び合体方法。
【請求項１７２】
太陽光加熱器（２１）で加熱高温とした空気（２８ａ）を逆浸透水（５２Ｄ）冷却した圧縮翼二重反転で吸入冷却圧縮圧縮比９０以上にして圧縮空気熱交換器（２Ｙ）に噴射燃料噴射燃焼熱交換超臨界圧力水蒸気（５Ｈ）製造する二重反転機関（１２Ｇ）＋竪型全動翼蒸気水重力タービン（１１Ｚ）発電とした竪型全動翼蒸気水重力タービン（１１Ｚ）発電とする各種エネルギ保存サイクル合体機関及び合体方法。
【請求項１７３】
太陽光加熱器（２１）で加熱高温とした空気（２８ａ）を逆浸透水（５２Ｄ）冷却した圧縮翼二重反転で吸入冷却圧縮圧縮比１００以上にして圧縮空気熱交換器（２Ｙ）に噴射燃料噴射燃焼熱交換超臨界圧力水蒸気（５Ｈ）製造する二重反転機関（１２Ｇ）＋竪型全動翼蒸気水重力タービン（１１Ｚ）発電とした竪型全動翼蒸気水重力タービン（１１Ｚ）発電とする各種エネルギ保存サイクル合体機関及び合体方法。
【請求項１７４】
太陽光加熱器（２１）で加熱高温とした空気（２８ａ）を逆浸透水（５２Ｄ）冷却した圧縮翼二重反転で吸入冷却圧縮圧縮比５０以上にして圧縮空気熱交換器（２Ｙ）に噴射燃料噴射燃焼熱交換超臨界圧力水蒸気（５Ｈ）製造する二重反転機関（１２Ｇ）＋竪型全動翼蒸気水重力タービン（１１Ｚ）発電とし同一燃料量既存火力発電の２０倍以上の発電量にした竪型全動翼蒸気水重力タービン（１１Ｚ）発電とする各種エネルギ保存サイクル合体機関及び合体方法。
【請求項１７５】
太陽光加熱器（２１）で加熱高温とした空気（２８ａ）を逆浸透水（５２Ｄ）冷却した圧縮翼二重反転で吸入冷却圧縮圧縮比６０以上にして圧縮空気熱交換器（２Ｙ）に噴射燃料噴射燃焼熱交換超臨界圧力水蒸気（５Ｈ）製造する二重反転機関（１２Ｇ）＋竪型全動翼蒸気水重力タービン（１１Ｚ）発電とし同一燃料量既存火力発電の４０倍以上の発電量にした竪型全動翼蒸気水重力タービン（１１Ｚ）発電とする各種エネルギ保存サイクル合体機関及び合体方法。
【請求項１７６】
太陽光加熱器（２１）で加熱高温とした空気（２８ａ）を逆浸透水（５２Ｄ）冷却した圧縮翼二重反転で吸入冷却圧縮圧縮比７０以上にして圧縮空気熱交換器（２Ｙ）に噴射燃料噴射燃焼熱交換超臨界圧力水蒸気（５Ｈ）製造する二重反転機関（１２Ｇ）＋竪型全動翼蒸気水重力タービン（１１Ｚ）発電とし同一燃料量既存火力発電の６０倍以上の発電量にした竪型全動翼蒸気水重力タービン（１１Ｚ）発電とする各種エネルギ保存サイクル合体機関及び合体方法。
【請求項１７７】
太陽光加熱器（２１）で加熱高温とした空気（２８ａ）を逆浸透水（５２Ｄ）冷却した圧縮翼二重反転で吸入冷却圧縮圧縮比８０以上にして圧縮空気熱交換器（２Ｙ）に噴射燃料噴射燃焼熱交換超臨界圧力水蒸気（５Ｈ）製造する二重反転機関（１２Ｇ）＋竪型全動翼蒸気水重力タービン（１１Ｚ）発電とし同一燃料量既存火力発電の８０倍以上の発電量にした竪型全動翼蒸気水重力タービン（１１Ｚ）発電とする各種エネルギ保存サイクル合体機関及び合体方法。
【請求項１７８】
太陽光加熱器（２１）で加熱高温とした空気（２８ａ）を逆浸透水（５２Ｄ）冷却した圧縮翼二重反転で吸入冷却圧縮圧縮比９０以上にして圧縮空気熱交換器（２Ｙ）に噴射燃料噴射燃焼熱交換超臨界圧力水蒸気（５Ｈ）製造する二重反転機関（１２Ｇ）＋竪型全動翼蒸気水重力タービン（１１Ｚ）発電とし同一燃料量既存火力発電の１００倍以上の発電量にした竪型全動翼蒸気水重力タービン（１１Ｚ）発電とする各種エネルギ保存サイクル合体機関及び合体方法。
【請求項１７９】
太陽光加熱器（２１）で加熱高温とした空気（２８ａ）を逆浸透水（５２Ｄ）冷却した圧縮翼二重反転で吸入冷却圧縮圧縮比１００以上にして圧縮空気熱交換器（２Ｙ）に噴射燃料噴射燃焼熱交換超臨界圧力水蒸気（５Ｈ）製造する二重反転機関（１２Ｇ）＋竪型全動翼蒸気水重力タービン（１１Ｚ）発電とし同一燃料量既存火力発電の１２０倍以上の発電量にした竪型全動翼蒸気水重力タービン（１１Ｚ）発電とする各種エネルギ保存サイクル合体機関及び合体方法。
【請求項１８０】
二重反転機関（１２Ｇ）製造の超臨界圧力水蒸気（５Ｈ）＋逆浸透水（５２Ｄ）を超臨界圧力水蒸気管（５Ｈ）＋柱管（１２Ｂ）により竪型全動翼蒸気水重力タービン（１１Ｚ）最上部上昇して比重大物質加速機（６Ｗ）を解放超臨界圧力水蒸気（５Ｈ）を噴射して逆浸透水（５２Ｄ）を吸引噴射真空中重力加速度加速して円筒外側動翼群（６０Ｄ）＋円筒内側動翼群（６０Ｃ）を二重反転駆動する竪型全動翼蒸気水重力タービン（１１Ｚ）発電とする各種エネルギ保存サイクル合体機関及び合体方法。
【請求項１８１】
二重反転機関（１２Ｇ）製造の超臨界圧力水蒸気（５Ｈ）＋逆浸透水（５２Ｄ）を超臨界圧力水蒸気管（５Ｈ）＋柱管（１２Ｂ）により竪型全動翼蒸気水重力タービン（１１Ｚ）最上部上昇して比重大物質加速機（６Ｗ）を解放し超臨界圧力水蒸気（５Ｈ）を噴射して逆浸透水（５２Ｄ）を吸引噴射真空中重力加速度加速して円筒外側動翼群（６０Ｄ）＋円筒内側動翼群（６０Ｃ）を二重反転駆動の過程で衝動液化蒸気容積縮小する竪型全動翼蒸気水重力タービン（１１Ｚ）発電とする各種エネルギ保存サイクル合体機関及び合体方法。
【請求項１８２】
二重反転機関（１２Ｇ）製造の超臨界圧力水蒸気（５Ｈ）＋逆浸透水（５２Ｄ）を超臨界圧力水蒸気管（５Ｈ）＋柱管（１２Ｂ）により竪型全動翼蒸気水重力タービン（１１Ｚ）最上部上昇して比重大物質加速機（６Ｗ）を解放し超臨界圧力水蒸気（５Ｈ）を噴射して水を吸引して円筒外側動翼群（６０Ｄ）＋円筒内側動翼群（６０Ｃ）を二重反転駆動の過程で衝動液化蒸気容積縮小する竪型全動翼蒸気水重力タービン（１１Ｚ）発電とする各種エネルギ保存サイクル合体機関及び合体方法。
【請求項１８３】
二重反転機関（１２Ｇ）製造の超臨界圧力水蒸気（５Ｈ）＋逆浸透水（５２Ｄ）を超臨界圧力水蒸気管（５Ｈ）＋柱管（１２Ｂ）により竪型全動翼蒸気水重力タービン（１１Ｚ）最上部上昇して比重大物質加速機（６Ｗ）を解放し超臨界圧力水蒸気（５Ｈ）を噴射して逆浸透水（５２Ｄ）を吸引噴射して円筒外側動翼群（６０Ｄ）＋円筒内側動翼群（６０Ｃ）を二重反転駆動の過程で衝動液化蒸気容積縮小する竪型全動翼蒸気水重力タービン（１１Ｚ）発電とする各種エネルギ保存サイクル合体機関及び合体方法。
【請求項１８４】
二重反転機関（１２Ｇ）製造の超臨界圧力水蒸気（５Ｈ）＋逆浸透水（５２Ｄ）を超臨界圧力水蒸気管（５Ｈ）＋柱管（１２Ｂ）により竪型全動翼蒸気水重力タービン（１１Ｚ）最上部上昇して比重大物質加速機（６Ｗ）を解放し超臨界圧力水蒸気（５Ｈ）を噴射低温水吸引噴射して円筒外側動翼群（６０Ｄ）＋円筒内側動翼群（６０Ｃ）を二重反転駆動の過程で衝動液化蒸気容積縮小する竪型全動翼蒸気水重力タービン（１１Ｚ）発電とする各種エネルギ保存サイクル合体機関及び合体方法。
【請求項１８５】
二重反転機関（１２Ｇ）製造の超臨界圧力水蒸気（５Ｈ）＋逆浸透水（５２Ｄ）を超臨界圧力水蒸気管（５Ｈ）＋柱管（１２Ｂ）により竪型全動翼蒸気水重力タービン（１１Ｚ）最上部上昇して比重大物質加速機（６Ｗ）を解放し超臨界圧力水蒸気（５Ｈ）を噴射して低温水を吸引噴射真空中の重力加速度で加速して円筒外側動翼群（６０Ｄ）＋円筒内側動翼群（６０Ｃ）を二重反転駆動の過程で衝動液化蒸気容積縮小する竪型全動翼蒸気水重力タービン（１１Ｚ）発電とする各種エネルギ保存サイクル合体機関及び合体方法。
【請求項１８６】
二重反転機関（１２Ｇ）製造の超臨界圧力水蒸気（５Ｈ）＋逆浸透水（５２Ｄ）を超臨界圧力水蒸気管（５Ｈ）＋柱管（１２Ｂ）により竪型全動翼蒸気水重力タービン（１１Ｚ）最上部上昇して比重大物質加速機（６Ｗ）を解放し超臨界圧力水蒸気（５Ｈ）を噴射して高温水を吸引して円筒外側動翼群（６０Ｄ）＋円筒内側動翼群（６０Ｃ）を二重反転駆動の過程で衝動液化蒸気容積縮小する竪型全動翼蒸気水重力タービン（１１Ｚ）発電とする各種エネルギ保存サイクル合体機関及び合体方法。
【請求項１８７】
二重反転機関（１２Ｇ）製造の超臨界圧力水蒸気（５Ｈ）＋逆浸透水（５２Ｄ）を超臨界圧力水蒸気管（５Ｈ）＋柱管（１２Ｂ）により竪型全動翼蒸気水重力タービン（１１Ｚ）最上部上昇して比重大物質加速機（６Ｗ）を解放し超臨界圧力水蒸気（５Ｈ）を噴射して高温水を吸引噴射真空中の重力加速度で加速して円筒外側動翼群（６０Ｄ）＋円筒内側動翼群（６０Ｃ）を二重反転駆動の過程で衝動液化蒸気容積縮小する竪型全動翼蒸気水重力タービン（１１Ｚ）発電とする各種エネルギ保存サイクル合体機関及び合体方法。
【請求項１８８】
二重反転機関（１２Ｇ）製造の超臨界圧力水蒸気（５Ｈ）＋逆浸透水（５２Ｄ）を超臨界圧力水蒸気管（５Ｈ）＋柱管（１２Ｂ）により竪型全動翼蒸気水重力タービン（１１Ｚ）最上部上昇して比重大物質加速機（６Ｗ）を解放し超臨界圧力水蒸気（５Ｈ）を噴射して高温水を吸引噴射真空中重力加速度加速して円筒外側動翼群（６０Ｄ）＋円筒内側動翼群（６０Ｃ）を二重反転駆動の過程で衝動液化蒸気容積縮小する竪型全動翼蒸気水重力タービン（１１Ｚ）発電とする各種エネルギ保存サイクル合体機関及び合体方法。
【請求項１８９】
二重反転機関（１２Ｇ）製造の超臨界圧力水蒸気（５Ｈ）＋逆浸透水（５２Ｄ）を超臨界圧力水蒸気管（５Ｈ）＋柱管（１２Ｂ）により竪型全動翼蒸気水重力タービン（１１Ｚ）最上部上昇して比重大物質加速機（６Ｗ）を解放し超臨界圧力水蒸気（５Ｈ）を噴射して水を吸引噴射真空中重力加速度加速して円筒外側動翼群（６０Ｄ）＋円筒内側動翼群（６０Ｃ）を二重反転駆動の過程で衝動液化蒸気容積縮小する竪型全動翼蒸気水重力タービン（１１Ｚ）発電とする各種エネルギ保存サイクル合体機関及び合体方法。
【請求項１９０】
二重反転機関（１２Ｇ）製造の超臨界圧力水蒸気（５Ｈ）＋逆浸透水（５２Ｄ）を超臨界圧力水蒸気管（５Ｈ）＋柱管（１２Ｂ）により竪型全動翼蒸気水重力タービン（１１Ｚ）最上部上昇して比重大物質加速機（６Ｗ）を解放し超臨界圧力水蒸気（５Ｈ）を噴射して水を吸引噴射真空中重力加速度加速して円筒外側動翼群（６０Ｄ）＋円筒内側動翼群（６０Ｃ）を二重反転駆動の過程で衝動液化蒸気容積縮小する竪型全動翼蒸気水重力タービン（１１Ｚ）発電とする各種エネルギ保存サイクル合体機関及び合体方法。
【請求項１９１】
二重反転機関（１２Ｇ）製造の超臨界圧力水蒸気（５Ｈ）＋逆浸透水（５２Ｄ）を超臨界圧力水蒸気管（５Ｈ）＋柱管（１２Ｂ）により竪型全動翼蒸気水重力タービン（１１Ｚ）最上部上昇して比重大物質加速機（６Ｗ）を解放し超臨界圧力水蒸気（５Ｈ）を噴射して低温水吸引噴射真空中重力加速度加速して円筒外側動翼群（６０Ｄ）＋円筒内側動翼群（６０Ｃ）を二重反転駆動の過程で衝動液化蒸気容積縮小する竪型全動翼蒸気水重力タービン（１１Ｚ）発電とする各種エネルギ保存サイクル合体機関及び合体方法。
【請求項１９２】
二重反転機関（１２Ｇ）製造の超臨界圧力水蒸気（５Ｈ）＋逆浸透水（５２Ｄ）を超臨界圧力水蒸気管（５Ｈ）＋柱管（１２Ｂ）により竪型全動翼蒸気水重力タービン（１１Ｚ）最上部上昇して比重大物質加速機（６Ｗ）を解放し超臨界圧力水蒸気（５Ｈ）を噴射して低温水を吸引噴射真空中重力加速度加速して円筒外側動翼群（６０Ｄ）＋円筒内側動翼群（６０Ｃ）を二重反転駆動の過程で衝動液化蒸気容積縮小する竪型全動翼蒸気水重力タービン（１１Ｚ）発電とする各種エネルギ保存サイクル合体機関及び合体方法。
【請求項１９３】
二重反転機関（１２Ｇ）製造の超臨界圧力水蒸気（５Ｈ）＋逆浸透水（５２Ｄ）を超臨界圧力水蒸気管（５Ｈ）＋柱管（１２Ｂ）により竪型全動翼蒸気水重力タービン（１１Ｚ）最上部上昇して比重大物質加速機（６Ｗ）を解放し超臨界圧力水蒸気（５Ｈ）を噴射して高温水を吸引噴射真空中重力加速度加速して円筒外側動翼群（６０Ｄ）＋円筒内側動翼群（６０Ｃ）を二重反転駆動の過程で衝動液化蒸気容積縮小する竪型全動翼蒸気水重力タービン（１１Ｚ）発電とする各種エネルギ保存サイクル合体機関及び合体方法。
【請求項１９４】
二重反転機関（１２Ｇ）製造の超臨界圧力水蒸気（５Ｈ）を海底のメタンハイドレートに注入する各種エネルギ保存サイクル合体機関及び合体方法。
【請求項１９５】
二重反転機関（１２Ｇ）製造の超臨界圧力水蒸気（５Ｈ）を永久凍土地下のメタンハイドレートに注入する各種エネルギ保存サイクル合体機関及び合体方法。
【請求項１９６】
二重反転機関（１２Ｇ）製造の高温逆浸透水（５２Ｄ）を海底のメタンハイドレートに注入する各種エネルギ保存サイクル合体機関及び合体方法。
【請求項１９７】
二重反転機関（１２Ｇ）製造の高温逆浸透水（５２Ｄ）を永久凍土地下のメタンハイドレートに注入する各種エネルギ保存サイクル合体機関及び合体方法。
【請求項１９８】
二重反転機関（１２Ｇ）製造の超臨界圧力水蒸気（５Ｈ）を海底のメタンハイドレートに注入メタンを回収する各種エネルギ保存サイクル合体機関及び合体方法。
【請求項１９９】
二重反転機関（１２Ｇ）製造の超臨界圧力水蒸気（５Ｈ）を永久凍土地下のメタンハイドレートに注入メタンを回収する各種エネルギ保存サイクル合体機関及び合体方法。
【請求項２００】
二重反転機関（１２Ｇ）製造の高温逆浸透水（５２Ｄ）を海底のメタンハイドレートに注入メタンを回収する各種エネルギ保存サイクル合体機関及び合体方法。
【請求項２０１】
二重反転機関（１２Ｇ）製造の高温逆浸透水（５２Ｄ）を永久凍土地下のメタンハイドレートに注入メタンを回収する各種エネルギ保存サイクル合体機関及び合体方法。
【請求項２０２】
二重反転機関（１２Ｇ）製造の超臨界圧力水蒸気（５Ｈ）を海底のメタンハイドレートに注入メタンを回収二重反転機関（１２Ｇ）排気で冷却する各種エネルギ保存サイクル合体機関及び合体方法。
【請求項２０３】
二重反転機関（１２Ｇ）製造の超臨界圧力水蒸気（５Ｈ）を永久凍土地下のメタンハイドレートに注入メタンを回収二重反転機関（１２Ｇ）排気で冷却する各種エネルギ保存サイクル合体機関及び合体方法。
【請求項２０４】
二重反転機関（１２Ｇ）製造の高温逆浸透水（５２Ｄ）を海底のメタンハイドレートに注入メタンを回収二重反転機関（１２Ｇ）排気で冷却する各種エネルギ保存サイクル合体機関及び合体方法。
【請求項２０５】
二重反転機関（１２Ｇ）製造の高温逆浸透水（５２Ｄ）を永久凍土地下のメタンハイドレートに注入メタンを回収二重反転機関（１２Ｇ）排気で冷却する各種エネルギ保存サイクル合体機関及び合体方法。
【請求項２０６】
二重反転機関（１２Ｇ）製造の超臨界圧力水蒸気（５Ｈ）を海底のメタンハイドレートに注入メタンを回収二重反転機関（１２Ｇ）排気で冷却液体メタンにする各種エネルギ保存サイクル合体機関及び合体方法。
【請求項２０７】
二重反転機関（１２Ｇ）製造の超臨界圧力水蒸気（５Ｈ）を永久凍土地下のメタンハイドレートに注入メタンを回収二重反転機関（１２Ｇ）排気で冷却液体メタンにする各種エネルギ保存サイクル合体機関及び合体方法。
【請求項２０８】
二重反転機関（１２Ｇ）製造の高温逆浸透水（５２Ｄ）を海底のメタンハイドレートに注入メタンを回収二重反転機関（１２Ｇ）排気で冷却液体メタンにする各種エネルギ保存サイクル合体機関及び合体方法。
【請求項２０９】
二重反転機関（１２Ｇ）製造の高温逆浸透水（５２Ｄ）を永久凍土地下のメタンハイドレートに注入メタンを回収二重反転機関（１２Ｇ）排気で冷却液体メタンにする各種エネルギ保存サイクル合体機関及び合体方法。
【請求項２１０】
二重反転機関（１２Ｇ）製造の超臨界圧力水蒸気（５Ｈ）を海底のメタンハイドレートに注入メタンを回収二重反転機関（１２Ｇ）排気で冷却液体メタンで回収利用する各種エネルギ保存サイクル合体機関及び合体方法。
【請求項２１１】
二重反転機関（１２Ｇ）製造の超臨界圧力水蒸気（５Ｈ）を永久凍土地下のメタンハイドレートに注入メタンを回収二重反転機関（１２Ｇ）排気で冷却液体メタンで回収利用する各種エネルギ保存サイクル合体機関及び合体方法。
【請求項２１２】
二重反転機関（１２Ｇ）製造の高温逆浸透水（５２Ｄ）を海底のメタンハイドレートに注入メタンを回収二重反転機関（１２Ｇ）排気で冷却液体メタンで回収利用する各種エネルギ保存サイクル合体機関及び合体方法。
【請求項２１３】
二重反転機関（１２Ｇ）製造の高温逆浸透水（５２Ｄ）を永久凍土地下のメタンハイドレートに注入メタンを回収二重反転機関（１２Ｇ）排気で冷却液体メタンで回収利用する各種エネルギ保存サイクル合体機関及び合体方法。
【請求項２１４】
二重反転機関（１２Ｇ）製造の超臨界圧力水蒸気（５Ｈ）を超大型温室の透明囲い具備して永久凍土地下のメタンハイドレートに注入メタンを回収二重反転機関（１２Ｇ）排気で冷却液体メタンにする各種エネルギ保存サイクル合体機関及び合体方法。
【請求項２１５】
二重反転機関（１２Ｇ）製造の高温逆浸透水（５２Ｄ）を超大型温室の透明囲い具備して永久凍土地下のメタンハイドレートに注入メタンを回収二重反転機関（１２Ｇ）排気で冷却液体メタンにする各種エネルギ保存サイクル合体機関及び合体方法。
【請求項２１６】
二重反転機関（１２Ｇ）製造の超臨界圧力水蒸気（５Ｈ）を超大型温室の透明囲い具備して永久凍土地下のメタンハイドレートに注入メタンを回収二重反転機関（１２Ｇ）排気で冷却液体メタンで回収利用する各種エネルギ保存サイクル合体機関及び合体方法。
【請求項２１７】
二重反転機関（１２Ｇ）製造の高温逆浸透水（５２Ｄ）を超大型温室の透明囲い具備して永久凍土地下のメタンハイドレートに注入メタンを回収二重反転機関（１２Ｇ）排気で冷却液体メタンで回収利用する各種エネルギ保存サイクル合体機関及び合体方法。
【請求項２１８】
二重反転機関（１２Ｇ）製造の超臨界圧力水蒸気（５Ｈ）を超大型温室の透明囲い具備して永久凍土地下のメタンハイドレートに注入メタンを回収二重反転機関（１２Ｇ）排気で冷却液体メタンにして氷を気化する各種エネルギ保存サイクル合体機関及び合体方法。
【請求項２１９】
二重反転機関（１２Ｇ）製造の高温逆浸透水（５２Ｄ）を超大型温室の透明囲い具備して永久凍土地下のメタンハイドレートに注入メタンを回収二重反転機関（１２Ｇ）排気で冷却液体メタンにして氷を気化する各種エネルギ保存サイクル合体機関及び合体方法。
【請求項２２０】
二重反転機関（１２Ｇ）製造の超臨界圧力水蒸気（５Ｈ）を超大型温室の透明囲い具備して永久凍土地下のメタンハイドレートに注入メタンを回収二重反転機関（１２Ｇ）排気で冷却液体メタンで回収利用して氷を気化する各種エネルギ保存サイクル合体機関及び合体方法。
【請求項２２１】
二重反転機関（１２Ｇ）製造の高温逆浸透水（５２Ｄ）を超大型温室の透明囲い具備して永久凍土地下のメタンハイドレートに注入メタンを回収二重反転機関（１２Ｇ）排気で冷却液体メタンで回収利用して氷を気化する各種エネルギ保存サイクル合体機関及び合体方法。
【請求項２２２】
二重反転機関（１２Ｇ）製造の超臨界圧力水蒸気（５Ｈ）を超大型温室の透明囲い具備して永久凍土地下のメタンハイドレートに注入メタンを回収二重反転機関（１２Ｇ）排気で冷却液体メタンにして氷を気化透明囲いで凝縮する各種エネルギ保存サイクル合体機関及び合体方法。
【請求項２２３】
二重反転機関（１２Ｇ）製造の高温逆浸透水（５２Ｄ）を超大型温室の透明囲い具備して永久凍土地下のメタンハイドレートに注入メタンを回収二重反転機関（１２Ｇ）排気で冷却液体メタンにして氷を気化透明囲いで凝縮する各種エネルギ保存サイクル合体機関及び合体方法。
【請求項２２４】
二重反転機関（１２Ｇ）製造の超臨界圧力水蒸気（５Ｈ）を超大型温室の透明囲い具備して永久凍土地下のメタンハイドレートに注入メタンを回収二重反転機関（１２Ｇ）排気で冷却液体メタンで回収利用して氷を気化透明囲いで凝縮する各種エネルギ保存サイクル合体機関及び合体方法。
【請求項２２５】
二重反転機関（１２Ｇ）製造の高温逆浸透水（５２Ｄ）を超大型温室の透明囲い具備して永久凍土地下のメタンハイドレートに注入メタンを回収二重反転機関（１２Ｇ）排気で冷却液体メタンで回収利用して氷を気化透明囲いで凝縮する各種エネルギ保存サイクル合体機関及び合体方法。
【請求項２２６】
二重反転機関（１２Ｇ）製造の超臨界圧力水蒸気（５Ｈ）を超大型温室の透明囲い具備して永久凍土地下のメタンハイドレートに注入メタンを回収二重反転機関（１２Ｇ）排気で冷却液体メタンにして氷を気化透明囲いで凝縮して凝縮熱を発生温室にする各種エネルギ保存サイクル合体機関及び合体方法。
【請求項２２７】
二重反転機関（１２Ｇ）製造の高温逆浸透水（５２Ｄ）を超大型温室の透明囲い具備して永久凍土地下のメタンハイドレートに注入メタンを回収二重反転機関（１２Ｇ）排気で冷却液体メタンにして氷を気化透明囲いで凝縮して凝縮熱を発生温室にする各種エネルギ保存サイクル合体機関及び合体方法。
【請求項２２８】
二重反転機関（１２Ｇ）製造の超臨界圧力水蒸気（５Ｈ）を超大型温室の透明囲い具備して永久凍土地下のメタンハイドレートに注入メタンを回収二重反転機関（１２Ｇ）排気で冷却液体メタンで回収利用して氷を気化透明囲いで凝縮して凝縮熱を発生温室にする各種エネルギ保存サイクル合体機関及び合体方法。
【請求項２２９】
二重反転機関（１２Ｇ）製造の高温逆浸透水（５２Ｄ）を超大型温室の透明囲い具備して永久凍土地下のメタンハイドレートに注入メタンを回収二重反転機関（１２Ｇ）排気で冷却液体メタンで回収利用して氷を気化透明囲いで凝縮して凝縮熱を発生温室にする各種エネルギ保存サイクル合体機関及び合体方法。
【請求項２３０】
二重反転機関（１２Ｇ）製造の超臨界圧力水蒸気（５Ｈ）を超大型温室の透明囲い具備して永久凍土地下のメタンハイドレートに注入メタンを回収二重反転機関（１２Ｇ）排気で冷却液体メタンにして氷を気化透明囲いで凝縮して凝縮熱を発生水滴や日照時間の多い温室にする各種エネルギ保存サイクル合体機関及び合体方法。
【請求項２３１】
二重反転機関（１２Ｇ）製造の高温逆浸透水（５２Ｄ）を超大型温室の透明囲い具備して永久凍土地下のメタンハイドレートに注入メタンを回収二重反転機関（１２Ｇ）排気で冷却液体メタンにして氷を気化透明囲いで凝縮して凝縮熱を発生水滴や日照時間の多い温室にする各種エネルギ保存サイクル合体機関及び合体方法。
【請求項２３２】
二重反転機関（１２Ｇ）製造の超臨界圧力水蒸気（５Ｈ）を超大型温室の透明囲い具備して永久凍土地下のメタンハイドレートに注入メタンを回収二重反転機関（１２Ｇ）排気で冷却液体メタンで回収利用して氷を気化透明囲いで凝縮して凝縮熱を発生水滴や日照時間の多い温室にする各種エネルギ保存サイクル合体機関及び合体方法。
【請求項２３３】
二重反転機関（１２Ｇ）製造の高温逆浸透水（５２Ｄ）を超大型温室の透明囲い具備して永久凍土地下のメタンハイドレートに注入メタンを回収二重反転機関（１２Ｇ）排気で冷却液体メタンで回収利用して氷を気化透明囲いで凝縮して凝縮熱を発生水滴や日照時間の多い温室にする各種エネルギ保存サイクル合体機関及び合体方法。
【請求項２３４】
二重反転機関（１２Ｇ）製造の超臨界圧力水蒸気（５Ｈ）を超大型温室の透明囲い具備して永久凍土地下のメタンハイドレートに注入メタンを回収二重反転機関（１２Ｇ）排気で冷却液体メタンにして氷を気化透明囲いで凝縮して凝縮熱を発生水滴や日照時間の多い温室の牧草地製造の放牧にする各種エネルギ保存サイクル合体機関及び合体方法。
【請求項２３５】
二重反転機関（１２Ｇ）製造の高温逆浸透水（５２Ｄ）を超大型温室の透明囲い具備して永久凍土地下のメタンハイドレートに注入メタンを回収二重反転機関（１２Ｇ）排気で冷却液体メタンにして氷を気化透明囲いで凝縮して凝縮熱を発生水滴や日照時間の多い温室の牧草地製造の放牧にする各種エネルギ保存サイクル合体機関及び合体方法。
【請求項２３６】
二重反転機関（１２Ｇ）製造の超臨界圧力水蒸気（５Ｈ）を超大型温室の透明囲い具備して永久凍土地下のメタンハイドレートに注入メタンを回収二重反転機関（１２Ｇ）排気で冷却液体メタンで回収利用して氷を気化透明囲いで凝縮して凝縮熱を発生水滴や日照時間の多い温室の牧草地製造の放牧にする各種エネルギ保存サイクル合体機関及び合体方法。
【請求項２３７】
二重反転機関（１２Ｇ）製造の高温逆浸透水（５２Ｄ）を超大型温室の透明囲い具備して永久凍土地下のメタンハイドレートに注入メタンを回収二重反転機関（１２Ｇ）排気で冷却液体メタンで回収利用して氷を気化透明囲いで凝縮して凝縮熱を発生水滴や日照時間の多い温室の牧草地製造の放牧にする各種エネルギ保存サイクル合体機関及び合体方法。
【請求項２３８】
二重反転機関（１２Ｇ）製造の超臨界圧力水蒸気（５Ｈ）を超大型温室の透明囲い具備して永久凍土地下のメタンハイドレートに注入メタンを回収二重反転機関（１２Ｇ）排気で冷却液体メタンにして氷を気化透明囲いで凝縮して凝縮熱を発生水滴や日照時間の多い温室の牧草地製造の各種放牧により牛肉等の大量生産等にする各種エネルギ保存サイクル合体機関及び合体方法。
【請求項２３９】
二重反転機関（１２Ｇ）製造の高温逆浸透水（５２Ｄ）を超大型温室の透明囲い具備して永久凍土地下のメタンハイドレートに注入メタンを回収二重反転機関（１２Ｇ）排気で冷却液体メタンにして氷を気化透明囲いで凝縮して凝縮熱を発生水滴や日照時間の多い温室の牧草地製造の各種放牧により牛肉等の大量生産等にする各種エネルギ保存サイクル合体機関及び合体方法。
【請求項２４０】
二重反転機関（１２Ｇ）製造の超臨界圧力水蒸気（５Ｈ）を超大型温室の透明囲い具備して永久凍土地下のメタンハイドレートに注入メタンを回収二重反転機関（１２Ｇ）排気で冷却液体メタンで回収利用して氷を気化透明囲いで凝縮して凝縮熱を発生水滴や日照時間の多い温室の牧草地製造の各種放牧により牛肉等の大量生産等にする各種エネルギ保存サイクル合体機関及び合体方法。
【請求項２４１】
二重反転機関（１２Ｇ）製造の高温逆浸透水（５２Ｄ）を超大型温室の透明囲い具備して永久凍土地下のメタンハイドレートに注入メタンを回収二重反転機関（１２Ｇ）排気で冷却液体メタンで回収利用して氷を気化透明囲いで凝縮して凝縮熱を発生水滴や日照時間の多い温室の牧草地製造の各種放牧により牛肉等の大量生産等放牧にする各種エネルギ保存サイクル合体機関及び合体方法。
【発明の詳細な説明】
【技術分野】
【０００１】
現状から明白なように先進国経済成長戦略には大発明以外の道は無く、略同一発明同一実施では途上国と同一給料が明白なため、具体的な優位性の説明倍率最大を狙う、本発明の竪型全動翼蒸気水重力タービン１１Ｚ発電は、既存最先端科学技術も簡単に金儲け可能な発明に限定同一燃料量の発電量が最低のため、超大型工作機械が必要など実験皆無で製造困難な全動翼二重反転機関を実用化し、既存揚水発電の揚水ポンプ入力が回転速度の３乗に比例で実用化のため、発電量が水速度の２乗に比例するか実験が必要で、発電量が水速度の２乗に比例と計算して速度の無限増大に挑戦する発電量にして、断熱圧縮の空気温度２０℃が圧縮比８で１３倍の２６０℃になるを極限まで利用する、二重反転機関１２Ｇ＋竪型全動翼蒸気水重力タービン１１Ｚ発電にし、太陽光加熱器２１で加熱した空気２８ａを超高速全動翼二重反転機関１２Ｇ圧縮して、燃料噴射燃焼熱交換する圧縮空気熱交換器２Ｙにし、圧縮比８０〜１００狙い超臨界圧力水蒸気５Ｈ製造量を同一燃料量既存ボイラーの１３０倍狙いにして、竪型全動翼蒸気水重力タービン１１Ｚ発電落差無限製造駆動を、逆浸透水５２Ｄに研磨剤混入防止のため逆浸透水５２Ｄマッハ３速度狙いの出発とし、逆浸透水５２Ｄ噴射速度＋超臨界圧力水蒸気５Ｈ噴射速度加速＋真空中の重力加速度加速で発電して、同一燃料量既存蒸気タービン大気圧から真空部分発電の３倍速度９倍発電量にし、マッハ３速度でも逆浸透水５２Ｄ質量が１７００倍を大きく超えるため、９倍発電量×１７００倍質量×１３０倍水蒸気５Ｈ製造量＝真空部分発電量の１９８９０００倍発電量となり、逆浸透水５２Ｄ速度に合わせたタービン翼８ａ角度や回転速度追加した、全く新しい複数の重要実験を必要として、重力発電建物１２＋比重大物質上昇装置２Ｆの高さや強度を最重要とし、柱管１２Ｂを逆浸透水５２Ｄなど比重大物質上昇装置２Ｆとして使用して、管径を増大することで鉄骨骨組１２Ａの柱を強大とし、用途に合わせた高さの強大な高層建築物として、竪型全動翼蒸気水重力タービン１１Ｚ発電とし、製造過程で最も重要な工程を超高速回転時の回転バランス調整加工として、内側軸装置６０Ａ＋外側軸装置６０Ｂ夫々の両端に各種軸受１２Ｃを具備し、内側軸装置６０Ａと外側軸装置６０Ｂ夫々を別々に仮組立てして、夫々の両端を工作機械で保持超高速回転バランス調整加工後に分解して本組立にし、前例の無い内側軸装置６０Ａ兼円筒内側動翼群６０Ｃと、外側軸装置６０Ｂ兼円筒外側動翼群６０Ｄの二重反転にする、竪型全動翼蒸気水重力タービン１１Ｚ発電の、各種エネルギ保存サイクル合体機関や各種エネルギ保存合体方法の技術に関する。
【背景技術】
【０００２】
昭和１７年航空機製作所水島工場に就職エンジン発明で人類史上最大の貢献を決意し、最も困った部分が利益率抜群世界一が可能な発明の定義で国内企業などにご協力のお願いを始め、クリントン大統領３年３回のご協力により具体的な優位性の説明倍率最重要が判明して、既存揚水発電の揚水入力が回転速度の３乗に比例する入力になるの実用化から、可変速モーターを採用のため出力が回転速度の３乗に比例するか実験が必要ですが痕跡皆無のため、発電量が水速度の２乗に比例するか発電機回転速度の２乗に比例するか実験が必要で、怠慢過ぎる既存最先端科学技術の既存揚水発電の水速度がマッハ１／７やマッハ１／５等のため、スペースシャトルの燃焼室圧力２２〜２５ＭＰａと同圧力以上超臨界圧力水蒸気５Ｈを噴射して、燃焼ガス速度を超える蒸気速度で逆浸透水５２Ｄを加速マッハ３２の地球脱出速度等とし、真空中の重力加速度加速で発電する実験にすると、同一質量の発電量がマッハ３２÷マッハ１／５＝１６０倍速度の２５６００倍発電量の実験を必要として、落差製造量が無限増大する背景技術があり、二重反転機関１２Ｇ＋竪型全動翼蒸気水重力タービン１１Ｚ発電にし、利益率抜群世界一が可能な発明狙いにして、実験結果が同一質量既存の２倍発電量以上で地球温暖化防止革命や、経済成長戦略革命や、世界全部で運用する運用利益率抜群世界一永遠狙い等により、日本の財政赤字１０００兆円を比較的短期間に０にする等が狙える背景技術がある。
【０００３】
製造困難な全動翼二重反転機関は宝の山で実験が必要、重要実験皆無で怠慢過ぎる既存最先端科学技術の火力発電ボイラーは、大気圧での燃料噴射燃焼で過熱蒸気を製造して蒸気タービンでの発電ですが、断熱圧縮の温度上昇は空気温度２０℃が圧縮比８で１３倍の２６０℃になるため、二重反転機関１２Ｇ圧縮空気熱交換器２Ｙ超臨界圧力水蒸気５Ｈ製造として、圧縮比８の１０倍狙いの圧縮比８０〜１００狙いの圧縮空気熱交換器２Ｙとし、燃料噴射燃焼熱交換超臨界圧力水蒸気５Ｈ製造にすると、燃焼温度が１３０倍前後となり、実験が必要な同一燃料量既存ボイラーの１３０倍前後の超臨界圧力水蒸気５Ｈ製造量になる背景があり、２倍で大革命を大きく超えるのに加えて、既存火力発電の蒸気タービン発電は、静翼と動翼を交互に夫々２０前後具備して、蒸気速度を回転出力０の静翼で２０回前後堰き止め９０度方向転換噴射を繰り返す無茶膨張にし、蒸気速度を略１／３０にしているため、静翼を全廃した二重反転機関１２Ｇ＋竪型全動翼蒸気水重力タービン１１Ｚとして、逆浸透水５２Ｄ噴射速度＋超臨界圧力水蒸気５Ｈ加速＋真空中の重力加速度発電とし、既存蒸気タービン発電の３０倍速度９００倍静翼全廃発電量にして、超臨界圧力水蒸気５Ｈ製造量ボイラーの１３０倍を追加し、同一燃料量１３０倍×９００倍発電量＝１１７０００倍発電量にして、実験結果が同一燃料量既存の２倍発電量以上で地球温暖化防止革命や、経済成長戦略革命や、世界全部で運用する運用利益率抜群世界一永遠狙い等により、日本の財政赤字１０００兆円を比較的短期間に０にする等が狙える背景技術がある。
【先行技術文献】
【特許文献】
【０００４】
【特許文献１】日本国特許１６０７１５１号、特許１６０９６１７号、特許１６４５３５０号、特許１９２４８８９号、特許１９１２５２２号、特許１９５９３０５号、特許１９８６１１９号、特許２６０４６３６号、１９９２年米国特許５１３３３０５号、１９９３年米国特許５２３０３０７号、１９９５年米国特許５４２９０７８号、１９９７年米国特許５７０１８６４号、ＰＣＴ国際出願番号ＰＣＴ／ＪＰ９７／０１８１４号・米国特許第６１１９６５０号、中国特許第８８１８号、ＥＵ英国特許９０２１７５号、ＰＣＴ国際出願番号ＰＣＴ／ＪＰ９７／０２２５０号・米国特許第６２６３６６４号がある。
【０００５】
【特許文献２】ＰＣＴ国際出願公開ＮＯ．ＷＯ  ２０１０／１０１０１７  ＰＣＴ／ＪＰ２０１０／０５２１７１の出願があり、特願２００７−１７９２０４提出日：平成１９年７月９日より特願２００７−２６５１１５提出日：平成１９年１０月１１日まで５個の出願があり、特願２００８−００６６１２提出日：平成２０年１月１６日より特願２００８−３２７０４５提出日：平成２０年１２月２４日まで４５個の出願があり、特願２００９−０１１６５６提出日：平成２１年１月２２日より特願２００９−２９８００４提出日：平成２１年１２月２８日まで３２２個の出願があり、特願２０１０−０００８４１提出日：平成２２年１月６日より特願２０１０−０３３２２４提出日：平成２２年２月１８日まで３２個の出願があり、特願２０１１−０５５０７８提出日：平成２３年３月１４日より特願２０１１−２６７５０８提出日平成２３年１２月７日まで２２個の出願があり、特願２０１２−０３２２４５提出日：平成２４年２月１７日より特願２０１２−２７１０３５提出日：平成２４年１２月１２日まで２９個の出願があり、特願２０１３−７９７５提出日：平成２５年１月２１日より特願２０１３−１３１２８４提出日：平成２５年６月２４日まで１６個の出願があります。
【発明の概要】
【発明が解決しようとする課題】
【０００６】
既存最先端科学技術が簡単に金儲け出来る物真似改良全部で速度に挑戦皆無のため、速度が利用可能な全動翼の二重反転機関１２Ｇや、竪型全動翼蒸気水重力タービン１１Ｚを製造では工作機械が皆無のため工作機械の製造が必要ですが、二重反転機関１２Ｇ＋竪型全動翼蒸気水重力タービン１１Ｚ発電では、発電量が速度に比例×質量に比例でも既存火力発電蒸気タービンの音速等最大出力部分との比較質量が、１７００〜１００００倍質量のため同一燃料量の発電量を既存火力発電の１７００倍発電量等として、実験結果を１０倍以上の発電量から出発とし、性能の悪い発電原価か高価な既存火力発電や原子力発電や太陽光発電や風力発電等を全廃して、運用利益率抜群世界一を永遠や給料世界一や新規雇用世界一にし、地球温暖化防止する課題がある。
【課題を解決するための手段】
【０００７】
二重反転機関１２Ｇ＋竪型全動翼蒸気水重力タービン１１Ｚ発電として、二重反転機関１２Ｇにより太陽光加熱器２１で加熱した空気２８ａを超高速全動翼二重反転圧縮し、圧縮比８０〜１００として圧縮空気熱交換器２Ｙで最先端科学技術で実験皆無の熱交換にして、同一燃料量既存ボイラーの１３０倍以上を狙う超臨界圧力水蒸気５Ｈ製造量にし、重力発電建物１２の最上部に逆浸透水５２Ｄと共に上昇保存して、逆浸透水５２Ｄ噴射速度マッハ３＋超臨界圧力水蒸気５Ｈ噴射速度マッハ３４＋真空中の重力加速度加速し、同一燃料量既存火力発電蒸気タービン最大速度出力部の大気圧〜真空部と比較では、マッハ３４÷マッハ１＝３４倍速度の１１５６倍速度発電量として、その時点での逆浸透水５２Ｄ容積が蒸気タービン蒸気の１／１７００〜１／１００００容積のため、水５２Ｄ容積を１００倍以上にして更に１００倍質量発電量にし、更に超臨界圧力水蒸気５Ｈ製造量を既存ボイラーの１３０倍として１３０倍熱量発電量として、総合計算発電量を１１５６倍×１００倍×１３０倍＝１５０２８０００倍発電量にし、実験結果を同一燃料量既存火力発電蒸気タービン高速部の１００倍発電量で大革命と判定して、世界規模１００％独占を永遠継続狙いにし、発明品全部の極秘製造極秘での全世界運用発電として、運用利益率抜群の世界一永遠や給料世界一や新規雇用世界一にし、性能の悪い発電原価か高価な既存火力発電や原子力発電や太陽光発電や風力発電等自然淘汰して、最も効率良く地球温暖化防止する。
【発明の効果】
【０００８】
既存最先端科学技術の蒸気タービン発電が静翼を具備して速度を利用しない等、致命的な欠点多数のため、二重反転機関１２Ｇ＋竪型全動翼蒸気水重力タービン１１Ｚ発電にすると、同一燃料量既存蒸気タービン発電の１００倍発電量を超えるため実用化すると、運用利益率抜群の世界一永遠や給料世界一や新規雇用世界一にする効果があり、性能の悪い発電原価か高価な既存火力発電や原子力発電や太陽光発電や風力発電等が自然淘汰する効果も大きく、最も効率良く地球温暖化防止する効果がある。
【図面の簡単な説明】
【０００９】
【図１】重力発電建物１２の説明図（実施例１）
【図２】竪型全動翼蒸気水重力タービン１１Ｚの軸受１２Ｃの説明図（実施例２）
【図３】内側軸装置６０Ａ外側軸装置６０Ｂの円筒動翼群の説明図（実施例３）
【図４】二重反転機関１２Ｇの説明図（実施例４）
【図５】太陽光加熱器２１の説明図（実施例５）
【図６】２段圧縮機１２Ｎの説明図（実施例６）
【発明を実施するための形態】
【００１０】
既存発電技術に全動翼二重反転機関の前例皆無で本発明全部が全動翼二重反転機関関連のため、製造の過程で円筒内側動翼群６０Ｃと円筒外側動翼群６０Ｄを夫々別々に仮組立とし、夫々の両端には各種軸受１２Ｃを具備で運転時と同様に工作機械で回転や加工可能として、夫々を超高速回転でもバランス運転良好に加工後に分解本組立にする、全く新しい加工技術を中核とした実験結果を最重要とし、断熱圧縮の空気温度２０℃が圧縮比８で１３倍の２６０℃になる、を過熱蒸気製造に利用した痕跡が皆無のため超臨界圧力水蒸気５Ｈ製造量増大を最重要として、超高速全動翼二重反転圧縮により圧縮比８０〜１００狙い圧縮空気温度１３０倍上昇狙いにし、実験結果が重要な二重反転機関１２Ｇ圧縮機は、逆浸透水５２Ｄ冷却の圧縮翼使用や太陽光加熱器２１加熱の空気を圧縮して超臨界圧力水蒸気５Ｈ製造量の増大にして、圧縮比８０〜１００以上狙いの圧縮空気熱交換器２Ｙで燃料噴射燃焼する実験が必要な熱交換にし、同一燃料量既存ボイラーの１３０倍超臨界圧力水蒸気５Ｈ製造量狙いにして、竪型全動翼蒸気水重力タービン１１Ｚ駆動用の逆浸透水５２Ｄ初速度製造とし、真空中の重力加速度で発電することで燃料費僅少＋統一タービン翼８ａ＋落差大幅増大にして、既存発電技術に真空中の重力加速度加速する前例が皆無で本発明か真空中の重力加速度加速のため、重力発電建物１２の柱管１２Ｂ等を水管５Ｚ＋比重大物質上昇装置２Ｆとして、逆浸透水５２Ｄを最上部に上昇保存＋落差製造にし、逆浸透水５２Ｄ噴射速度マッハ３等を製造＋超臨界圧力水蒸気５Ｈ加速＋真空中重力加速度加速して、同一燃料量既存火力発電の１０００倍発電量狙いにし、実験結果を同一燃料量既存火力発電の１００倍以上の大革命にして、全自動大量極秘製造極秘運用とし、運用利益率抜群の世界一や給料世界一や雇用無限増大にする。
【実施例１】
【００１１】
図１の重力発電建物１２による、二重反転機関１２Ｇ＋竪型全動翼蒸気水重力タービン１１Ｚ発電は、揚水発電水速度が音速の１／７〜１／５を、逆浸透水５２Ｄマッハ３噴射＋超臨界圧力水蒸気５Ｈでマッハ３０に加速＋真空中の重力加速度で発電とし、実験結果によりマッハ１０〜マッハ５０を選択可能な重力発電建物１２として、実験結果で最適落差の決定や製造の過程では超臨界圧力水蒸気５Ｈ噴射圧力２０〜５０ＭＰａから選択とし、超臨界圧力水蒸気５Ｈ膨張速度で逆浸透水５２Ｄを加速製造速度とし真空中重力加速度で発電して、重力発電建物１２の高さを無限増大可能な竪型全動翼蒸気水重力タービン１１Ｚとし、落差を地震等に対応した重力発電建物１２の無限製造で発電量無限増大狙いにして、重力発電建物１２の最上部より比重大物質の逆浸透水５２Ｄを高速噴射超臨界圧力水蒸気５Ｈ加速して、真空度上昇中の重力加速度加速する過程で、円筒外側動翼群６０Ｄ＋円筒内側動翼群６０Ｃに噴射し、夫々を二重反転駆動して、竪型全動翼蒸気水重力タービン１１Ｚ横軸１ｈ発電機１多数を駆動し、比重大物質上昇装置２Ｆによる逆浸透水５２Ｄの上昇は、揚水ポンプ入力が回転速度の３条に比例するため可変速ポンプ多数を使用上昇して、重力発電建物１２の柱を柱管１２Ｂ兼比重大物質上昇装置２Ｆ兼水管５Ｇとして、柱管１２Ｂの管径を拡大して頑丈な柱にすると共に低速上昇速度で揚水電力僅少にし、継手に角フランジ１２Ｄを鉄骨骨組１２Ａに合せて具備して、鉄骨骨組１２Ａの上下を角フランジ１２Ｄにボルト締め組立てにし、重力発電建物１２を構成柱管１２Ｂの内部を比重大物質上昇装置２Ｆとして使用して、水３Ｅの逆浸透水５２Ｄを最上部に上昇保存し、比重大物質加速器６Ｗでマッハ１〜３で噴射超臨界圧力水蒸気５Ｈ加速して、真空度上昇中の重力加速度加速発電する、竪型全動翼蒸気水重力タービン１１Ｚ発電にし、各種エネルギ保存サイクル合体機関発電及び合体方法発電にする。
【実施例２】
【００１２】
図２の竪型全動翼蒸気水重力タービン１１Ｚ発電は、発電量が速度の２乗に比例すると考えて大重量直線超高速噴射対応の全動翼二重反転とし、夫々が高速二重反転する円筒内側動翼群６０Ｃ兼内側軸装置６０Ａと、円筒外側動翼群６０Ｄ兼外側軸装置６０Ｂにして、夫々の両端には夫々最適軸受１２Ｃを具備して夫々別々に組立後工作機械で加工可能にし、超高速バランス調整加工運転良好に加工後の夫々を分解精密本組立てとして、全く新しい加工組立技術により１組の竪型全動翼蒸気水重力タービン１１Ｚを製造し、重力発電建物１２の柱管１２Ｂの高さに合わせて５〜２０組等の組立として、柱管１２Ｂ兼比重大物質上昇装置２Ｆにより水３Ｅの逆浸透水５２Ｄを最上部に可変速ポンプ多数で上昇保存し、揚水入力が回転速度の３乗に比例に対応し、比重大物質加速器６Ｗ水ポンプ５Ｚで逆浸透水５２Ｄをマッハ３等で噴射超臨界圧力水蒸気５Ｈ噴射で加速して、マッハ３０等として真空中重力加速度加速で発電し、同一燃料量既存蒸気タービン発電大気圧から真空部発電量の、３０倍速度×１３０倍質量＝３９００倍発電量、又は３０×３０×１３０＝１１７０００倍発電量にして、逆浸透水５２Ｄによりタービン翼８ａの摩耗量を僅少にする発電量の大幅増大にし、超臨界圧力水蒸気５Ｈで初速製造容積増大僅少でタービン翼８ａを同一にして、マッハ３噴射の入力等を差引後の同一燃料量発電量を既存蒸気タービン発電量の１０００倍狙いにし、円筒内側動翼群６０Ｃと円筒外側動翼群６０Ｄを、二重反転磁気装置８５又は二重反転歯車装置８５Ｙにより、二重反転駆動や横軸１ｈ発電機１駆動の重力発電建物１２の床面や階数１０〜３０階等として、最適高さの重力発電建物１２の無限製造にして既存最先端科学技術を大改良し、実験が必要な竪型全動翼蒸気水重力タービン１１Ｚ発電方法にして、製造物全部を運用する運用利益率抜群世界一の地球温暖化防止にする、各種エネルギ保存サイクル合体機関発電及び合体方法発電にする。
【実施例３】
【００１３】
図３の図２円筒内側動翼群６０Ｃ兼内側軸装置６０Ａと、円筒外側動翼群６０Ｄ兼外側軸装置６０Ｂ夫々のタービン翼８ａは、逆浸透水５２Ｄを噴射超臨界圧力水蒸気５Ｈで吸引噴射真空中重力加速度加速して、動翼群のタービン翼８ａに噴射駆動にしてタービン翼８ａの同一を可能や摩耗量最少狙いにし、タービン翼８ａの同一化大型化全自動製造容易や部品数僅少狙いにして、逆浸透水５２Ｄ大質量超高速二重反転駆動大発電量狙いにし、嵌合組立部９Ｍで最も重要な構成は超精密螺子組立固定等超精密加工組立として、何回も分解組立を繰り返しても超高速回転で回転バランスに変化が無い構成や精度とし、円筒内側動翼群６０Ｃ兼内側軸装置６０Ａと、円筒外側動翼群６０Ｄ兼外側軸装置６０Ｂの二重反転にして、円筒外側動翼群６０Ｄを外側動翼６０ｄの外入口翼６０ｅや、外側動翼６０ｄの外中間翼６０ｇ複数〜多数や、外側動翼６０ｄの外出口翼６０ｋにし、円筒内側動翼群６０Ｃを内側動翼６０ｃの内入口翼６０ｆや、内側動翼６０ｃの内中間翼６０ｈ複数〜多数や、内側動翼６０ｃの内出口翼６０ｊとして、二重反転磁気装置８５又は二重反転歯車装置８５Ｙにより二重反転する１組とし、横軸１ｈに発電機１を夫々具備して１組複数の発電機１発電にして、多数組の竪型全動翼蒸気水重力タービン１１Ｚ発電とし、最上部の１組を初速度製造の１組として、他は全部同一の地震等で被害僅少が可能な多数組とし、落差５００〜８００ｍ狙いや部品数最少や全自動製造可能略全部狙いとして、給料世界一や雇用大増大する人類史上最大の貢献や超精密製造とし、同一燃料量既存蒸気タービン発電の１０００倍発電量する竪型全動翼蒸気水重力タービン１１Ｚにして、実験が必要ですが燃料費僅少で発電量を大幅に増大し、利益率抜群世界一の地球温暖化防止にする、各種エネルギ保存サイクル合体機関発電及び合体方法発電にする。
【実施例４】
【００１４】
図４の発電用超臨界圧力水蒸気５Ｈ製造する二重反転機関１２Ｇは、製造過程では前記同様に、内側軸装置６０Ａ兼内側出力翼５３Ａ＋外側軸装置６０Ｂ兼外側出力翼５３Ａ夫々の両端に軸受１２Ｃ具備し、夫々を別々に環状内側出力８ｓ螺子組立固定や嵌め合い組立固定等に仮組立てして、工作機械で両端を保持超高速回転バランス調整加工等とし、バランス調整良好として本組立にする二重反転機関１２Ｇとして、二重反転磁気装置８５又は二重反転歯車装置８５Ｙにより、内側軸装置６０Ａ＋外側軸装置６０Ｂを二重反転駆動し、多数の超臨界圧力水蒸気５Ｈ製造用逆浸透水５２Ｄ冷却とした内側圧縮翼５３Ｃ＋外側圧縮翼５３Ｃで、図５の太陽光加熱器２１で加熱高温とした空気２８ａを入口外箱噴口６Ｇから吸入し、空気２８ａを超高速二重反転直線冷却圧縮にして、２段圧縮機１２Ｎ連結直線冷却圧縮選択可能にし、圧縮比８０〜１００で圧縮空気熱交換器２Ｙに供給して、燃料噴射燃焼過熱蒸気管５Ｈと熱交換し、同一燃料量既存火力発電ボイラーの１３０倍の超臨界圧力水蒸気５Ｈ製造量狙いとして、一部で１０ＭＰａ前後燃焼ガス４９を吸引噴射して二重反転機関１２Ｇを駆動し、３０ＭＰａ前後超臨界圧力水蒸気５Ｈで逆浸透水５２Ｄを吸引噴射真空中重力加速度加速して、同一燃料既存蒸気タービン発電の１０００倍発電量にする、竪型全動翼蒸気水重力タービン１１Ｚ駆動の超臨界圧力水蒸気５Ｈを製造する、二重反転機関１２Ｇにする。
【００１５】
海底や永久凍土地下のメタン回収用二重反転機関１２Ｇは、逆浸透水５２Ｄ冷却した内側軸装置６０Ａ兼内側圧縮翼５３Ｃ＋外側軸装置６０Ｂ兼外側圧縮翼５３Ｃにより、図５の太陽光加熱器２１で加熱高温等とした空気２８ａを吸入して、夫々逆浸透水５２Ｄ冷却した外側圧縮翼５３Ｃ内側圧縮翼５３Ｃで超高速二重反転空気冷却圧縮にし、最も効率良く空気圧縮熱交換して超臨界圧力水蒸気５Ｈ製造用逆浸透水５２Ｄを加熱して、圧縮空気熱交換器２ｙの超臨界圧力水蒸気管５Ｈに３０ＭＰａ前後で送水し、圧縮比８０〜１００狙いの冷却圧縮空気にして、圧縮空気熱交換器２Ｙに供給燃料噴射燃焼熱交換し、超臨界圧力水蒸気５Ｈ〜高温逆浸透水５２Ｄを製造し、米国シェールガス回収装置＋日本メタン回収装置＋二重反転機関１２Ｇにして、超臨界圧力水蒸気５Ｈ〜高温逆浸透水５２Ｄをメタンハイドレート注入メタンガスで回収し、二重反転機関１２Ｇ排気温度をー２００℃等としてメタンガス冷却して液体メタンで回収して、永久凍土地下のメタン回収では囲いを設けて超大型の温室にして外気と遮断すると、メタン菌メタン製造量の研究や日照時間や水滴の多い温室牧草地放牧の研究とし、液体メタンの大量生産や牛肉の大量生産等の実験にする二重反転機関１２Ｇにする。
【実施例５】
【００１６】
図５の太陽光加熱器２１の熱製造は、空気２０℃を圧縮比８で１３倍の２６０℃になるため、二重反転機関１２Ｇ圧縮機で太陽光加熱器２１加熱空気２８ａを１０ＭＰａ等圧縮翼５３Ｃ圧縮し、圧縮空気熱交換器２Ｙで燃料噴射燃焼熱交換して超臨界圧力水蒸気５Ｈを製造して、同一燃料量の超臨界圧力水蒸気５Ｈ製造量を既存ボイラーの１３０倍狙いにし、竪型全動翼蒸気水重力タービン１１Ｚを逆浸透水５２Ｄ＋超臨界圧力水蒸気５Ｈ駆動して、同一燃料量既存蒸気タービン発電の１０００倍発電量狙いにし、図に無い液体酸素製造機８９Ａを同様に駆動では、超臨界圧力水蒸気５Ｈ温熱＋液体空気２８ａ冷熱製造の電気＋液体空気冷熱＋過熱蒸気温熱供給設備３Ｄにして、温熱利用全盛や冷熱利用全盛にするもので、太陽光加熱器２１を水面に浮力を設け又は平地に円形鉄道を設けて具備し、太陽光を東から西に直角維持回転制御する図に無い水上装置や陸上装置として、太陽光加熱器２１には回転支持部４ｆを設けて歯車装置４ｄやローラー４ｅを具備し、円筒回転部７７Ｇとして太陽光を上下方向直角維持回転制御して、浮力や円形鉄道利用により東西方向直角維持回転制御する装置とし、太陽光を２方向直角維持回転制御して、加熱保存熱量最大狙う熱吸収管４Ｈ内空気温度を最高にする装置とし、地球最大熱量の太陽光を矩形長レンズ２ｄにより直線状に集めて、焦点距離付近に熱吸収管４Ｈ具備内部空気路２８Ａ空気２８ａ温度を最高にして、外部空気路２８Ａ空気２８ａ温度も上昇し、既存のレンズ断面を直線状に延長矩形の長レンズ２ｄとして、レンズ材質全部を使用可能とし、発泡プラスチック等の断熱材２ｃを円筒回転部７７Ｇ等で囲って円筒等の長大な筒として、長大な長レンズ２ｄを継手８０Ａ＋締付具８０Ｂで密封し、上部を外部空気路２８Ａとし熱吸収管４Ｈ内部を内部空気路２８Ａとして、２空気路２８Ａ選択吸入の太陽光加熱器２１にする。
【実施例６】
【００１７】
図６の２段圧縮機１２Ｎは、内側軸装置６０Ａ兼内側圧縮翼５３Ｃ＋外側軸装置６０Ｂ兼外側圧縮翼５３Ｃの両端に軸受１２Ｃ具備して、夫々を別々に環状内側圧縮翼５３Ｃ螺子組立固定や嵌め合い組立固定等に仮組立てして工作機械で両端を保持超高速回転バランス調整加工等とし、バランス調整良好として本組立にする２段圧縮機１２Ｎとして、二重反転磁気装置８５〜二重反転歯車装置８５Ｙにより、内側軸装置６０Ａ＋外側軸装置６０Ｂを二重反転駆動し、多数の逆浸透水５２Ｄ冷却とした内側圧縮翼５３Ｃ＋外側圧縮翼５３Ｃで、入口外箱噴口６Ｇから吸入した空気２８ａを直線冷却圧縮して、２段圧縮機１２Ｎ超高速二重反転直線冷却圧縮や連結直線冷却圧縮にし、圧縮比８０〜１００等で圧縮空気熱交換器２Ｙに供給して、燃料噴射燃焼超臨界圧力水蒸気管５Ｈと熱交換し、同一燃料量既存火力発電ボイラーの１３０倍の超臨界圧力水蒸気５Ｈ製造量狙い連結駆動として、二重反転機関１２Ｇや二重反転噴射機関１２Ｅや二重反転空気噴射機関１２Ｆと連結駆動等とし、複数段空気圧縮機として各種用途に使用する、２段圧縮機１２Ｎにする。
【産業上の利用可能性】
【００１８】
既存最先端科学技術が無茶過ぎるため予想計算発電量等夫々の倍率が膨大となり、実験が必要で発電量が駆動質量に比例するため逆浸透水５２Ｄ駆動中核の、二重反転機関１２Ｇ＋竪型全動翼蒸気水重力タービン１１Ｚ発電により、同一燃料量既存火力発電の１００倍〜１０００倍発電量で利用する可能性がある。
【符号の説明】
【００１９】
０：各種エネルギ保存サイクル合体機関（各種熱エネルギは空気温度として熱ポンプで圧縮熱回収して、空気２８ａ冷熱＋過熱蒸気５０温熱に分割保存使用、重力エネルギは上昇保存噴射真空中重力加速度加速して発電電力に変換使用する各種エネルギ合体エンジン合体手段）    １：発電機、  １ｃ：液体燃料、  1ｅ：工場発電、  １ｆ：横軸軸受０接近（横軸軸受＋推力軸受＋電磁石等で軸受荷重０接近）  １ｈ：横軸（外側軸装置と内側軸装置の回転方向交互にする軸）      １Ａ：蓄電池、  １Ｄ：燃料噴射ポンプ、  １Ｈ：自家発電、  １Ｋ：液体燃料制御弁、  １Ｌ：高圧燃料加熱管、  １Ｍ：オスプレイ特大、  １Ｎ：オスプレイ大型、  ２Ａ：耐熱材、    ２Ｃ：１〜複数段圧縮熱回収器（熱エネルギを空気温度とし熱ポンプで複数回圧縮熱交換器で複数回熱回収して残りを温熱５０＋液体冷熱２８ａに分割保存）    ２Ｙ：圧縮空気熱交換器（高圧空気２８ａ冷熱＋過熱蒸気５０温熱製造）    ２ｂ：水抵抗僅少（船底に空気や燃焼ガスや過熱蒸気等を高速噴射して水抵抗僅少にする）  ２ｃ：断熱材、  ２ｄ：長レンズ（凸レンズ断面を直線状に延長矩形とし、複数使用で焦点距離最短レンズ幅最大狙う）    ３ｄ：合体タービン、  ３ｅ：２段圧縮機、  ３ｓ：簡単圧縮機、  ３ｕ：タービン、  ３Ｅ：比重大物質（水銀や水等常温で液体の比重大物質）    ３Ｅ：比重大物質（低融点合金の５００度以下液体で安定高温液体合金）  ３Ｑ：理論膨張機関（ボイルの法則で最良狙う）  ３Ｒ：理論ガスタービン、  ３Ｓ：理論蒸気タービン、  ３Ｔ：理論気体圧縮機、  ３Ｕ：理論タービン、  ４Ｈ：熱吸収管（長レンズ２ｄで太陽光を熱吸収管に直線状に集めて管内空気温度を最高に加熱して菅外空気温度も上昇する）  ４Ｊ：蓄電池駆動車輪、  ４Ｌ：理論膨張機関自動車、  ４Ｍ：理論タービン自動車、  ４Ｑ：理論燃焼室（過熱蒸気製造で理論空燃比燃焼既存の４倍燃焼量等や２０倍圧力過熱蒸気噴射狙う燃焼室）、  ４Ｔ：軸流二重反転圧縮機、  ４Ｖ：軸流二重反転タービン、  ４ｄ：歯車装置、  ４ｅ：ローラー、  ４ｆ：回転支持部、  ５：空気噴射ノズル、  ５ｂ：圧縮空気路、  ５Ｇ：水蒸気加熱管、  ５Ｇ：水管、  ５Ｈ：超臨界圧力水蒸気、  ５Ｈ：超臨界圧力水蒸気管、  ５Ｊ：圧縮空気過熱管、  ５Ｍ：高圧高温燃焼室、  ５Ｑ：高圧高温水制御弁、  ５Ｓ：圧縮空気加熱管、  ５Ｖ：圧縮空気制御弁、  ５Ｚ：水ポンプ、  ６：最終圧縮翼、  ６Ａ：過熱蒸気ロケット噴口（用途により逆噴射可能にした噴口）  ６Ｂ：圧縮空気噴射ノズル、  ６Ｆ：水噴射ノズル、  ６Ｇ：外箱噴口、  ６Ｈ：排水管、  ６Ｗ：比重大物質加速機、  ６Ｘ：燃料噴射ノズル、  ６Ｙ：燃焼ガス噴射ノズル、  ６Ｚ：過熱蒸気噴射ノズル、  ７Ａ：プロペラ、  ７Ｂ：回転翼、  ７Ｃ：スクリュー、  ８ａ：タービン翼、  ８ｄ：上側膨張翼群、  ８ｅ：下側膨張翼群、  ８ｆ：組立タービン翼群、  ８ｇ：上側圧縮翼群、  ８ｈ：下側圧縮翼群、  ８ｊ：組立圧縮翼群、  ８ｋ：内側圧縮翼（両側中心支持内側軸装置具備）  ８ｍ：外側圧縮翼（両側中心支持外側軸装置具備）、  ８ｎ：内側出力翼（両側中心支持内側軸装置具備）、  ８ｐ：外側出力翼（両側中心支持外側軸装置具備）  ８ｑ：内側圧縮翼（回転速度や周速度に合せた角度や曲線や回��半径二重反転とした圧縮翼）  ８ｒ：外側圧縮翼（回転速度や周速度に合せた角度や曲線や回転半径二重反転とした圧縮翼）、  ８ｓ：内側出力翼（回転速度や周速度に合せた角度や曲線や回転半径二重反転とした出力翼）、  ８ｔ：外側出力翼（回転速度や周速度に合せた角度や曲線や回転半径二重反転とした出力翼）  ９Ｂ：電磁石永久磁石、  ９Ｃ：電磁石永久磁石、  ９Ｄ：空気圧部、  ９Ｅ：空気圧部、  ９Ｍ：嵌合組立部、  ９Ｑ：垂直平行板、  ９ｂ：上吸引下反発磁石、  ９ｃ：吸引磁石、  ９ｄ：反発磁石、  １１：全動翼蒸気タービン、  １１Ｂ：二重反転自動車、  １１Ｃ：二重反転船舶、  １１Ｄ：復水器、  １１Ｅ：二重反転飛行機、  １１Ｆ：二重反転噴射船舶、  １１Ｇ：二重反転噴射飛行機、  １１Ｉ：回転翼飛行機、  １１Ｊ：回転翼噴射飛行機、  １１Ｍ：オスプレイ特大、  １１Ｎ：オスプレイ大型、  １２：重力発電建物、  １２Ａ：鉄骨骨組、  １２Ｂ：柱管、  １２Ｃ：軸受、  １２Ｄ：角フランジ、  １２Ｅ：二重反転噴射機関、  １２Ｆ：二重反転空気噴射機関、  １２Ｇ：二重反転機関、  １２Ｎ：２段圧縮機、  ２１：太陽光加熱器（吸入空気路を熱吸収管４Ｈ内にも設けて主使用する）    ２４Ａ：圧縮空気制御弁、  ２５：過熱蒸気制御弁、  ２５ｂ：高圧燃料制御弁、  ２５ｃ：燃料管、  ２８Ａ：吸入空気路、  ２８ａ：空気、  ２８ｂ：吸入空気路、  ２９ａ：超高圧空気、  ３８Ｈ：理論スクリュー船舶、  ３８Ｊ：理論噴射船舶、  ３８Ｔ：理論噴射飛行機、  ３８Ｕ：理論プロペラ飛行機、  ４９：燃焼ガス、  ５０：過熱蒸気、  ５０：過熱蒸気室、  ５０Ａ：高圧高温水、  ５０ａ：過熱蒸気噴射管、  ５２Ａ：水、  ５２Ｂ：水管、  ５２Ｃ：アルコール、  ５２Ｃ：アルコール管、  ５２Ｄ：逆浸透水（固形物除去タービン翼８ａの摩耗量を僅少にする水）、  ５２Ｄ：逆浸透水管、  ５２Ｅ：蒸留水、  ５２Ｅ：蒸留水管、  ５２ａ：水、  ５２ｂ：高温水、  ５３Ａ：出力翼（駆動流体速度の１／１０前後外周速度狙う出力翼）  ５３Ｂ：出力翼（駆動流体速度に近い外周速度狙う出力翼）  ５３Ｃ：圧縮翼（５Ｈ製造用の逆浸透水５２Ｄ冷却翼）  ６０Ａ：内側軸装置、  ６０Ｂ：外側軸装置、  ６０Ｇ：外側環状翼、  ６０Ｈ：内側環状翼、  ７７Ａ：ガスタービン外箱、  ７７Ｂ：ロケット外箱、  ７７Ｃ：二重反転機外箱、  ７７Ｇ：円筒回転部、  ７７ａ：タービン外箱、  ７７ｂ：圧縮機外箱、  ８０：軸受（磁力＋空気圧利用で可能な限り軸受荷重を０に近付ける）  ８０Ａ：継手、  ８０Ｂ：締付具、  ８０ａ：推力軸受（磁力＋空気圧利用で可能な限り軸受荷重を０に近付ける）    ８５：二重反転磁気装置（磁石利用歯車高さ僅少から無接触にし横軸１ｈ歯車により相互逆回転にする）  ８５Ｙ：二重反転歯車装置（横軸１ｈ歯車により相互逆回転にする）  ８８Ｂ：蒸気合体空気噴射部、  ８８Ｃ：理論空気噴射部、  ８８Ｌ：蒸気合体水噴射部、  ８８Ｍ：理論水噴射部、  ８９Ａ：液体酸素製造機
【図１】
2015021445.tif 000003
【図２】
2015021445.tif 000004
【図３】
2015021445.tif 000005
【図４】
2015021445.tif 000006
【図５】
2015021445.tif 000007
【図６】
2015021445.tif 000008